(57)【要約】【課題】  伝送チャンネル変更等で映像の表示が途切れた場合であってもユーザに違和感を生じさせないようにして、ユーザの使い勝手を向上させる。【解決手段】  ワイヤレスＡＶシステム１は、ベース機器としてのワイヤレスセンタ２と、ＴＶ本体３とから構成され、ＴＶ本体３は、ワイヤレスセンタ２のＳＳ送受信ユニット３６から送信されたＭＰＥＧ２ストリームやコマンド伝送データを受信するとともに、受信したＭＰＥＧ２ストリームなどをデコードするＳＳ送受信ユニット６１と、映像信号を表示し音声信号を出力するＴＶ部６３と、装置全体の制御を行うＴＶマイコン６４と、受信電波の電界強度、エラー率に基づく再送要求によりワイヤレスセンタ２とＴＶ本体３間の通信状態を検出する第２のＳＳ−ＣＰＵ８４とを備え、ＴＶマイコン６４は、検出された通信状態に基づいて、映像及び音声データが途絶えていること、伝送チャンネル変更中であること、接続中であること、通信圏外を含む受信感度情報の各メッセージをＴＶ部６３にＯＳＤ表示する。【選択図】  図１
2004336729.tif 000002
【特許請求の範囲】
【請求項１】
映像及び／又は音声データ、又は伝送チャンネル変更情報を含む制御コマンドをベース機器と送受信する通信手段と、
通信状態を検出する通信状態検出手段と、
前記通信状態検出手段により検出された通信状態に基づいて、少なくとも前記制御コマンドの伝送状況を報知する報知手段と、を備えることを特徴とする無線端末。
【請求項２】
通信が途絶えた時間を計測し、該通信が途絶えてから所定の時間が経過するまでは伝送チャンネルを保持する伝送チャンネル保持手段を備えることを特徴とする請求項１に記載の無線端末。
【請求項３】
前記通信状態検出手段が、受信電波の電界強度、エラー率、エラー率に基づく再送要求回数のいずれか一つ以上に基づいて、通信状態を検出するものであることを特徴とする請求項１または２に記載の無線端末。
【請求項４】
前記通信状態検出手段が、通信リンクが確立されたベース機器との通信状態を検出するものであることを特徴とする請求項１から３のいずれか１項に記載の無線端末。
【請求項５】
前記報知手段が、前記映像及び／又は音声データが途絶えていること、伝送チャンネル変更中であること、接続中であること、通信圏外であることを含む受信感度情報のうち、いずれか一つ以上を報知するものであることを特徴とする請求項１から４のいずれか１項に記載の無線端末。
【請求項６】
前記報知手段が、表示手段によるメッセージ表示、又は、音声出力手段によるメッセージ発音を行うものであることを特徴とする請求項１から５のいずれか１項に記載の無線端末。
【請求項７】
伝送チャンネルを変更する際、ベース機器がすべての伝送チャンネルを一巡させる期間以上の周期、または、無線端末が１つの伝送チャンネルを保持する期間にすべての伝送チャンネルを一巡させる周期のいずれかのタイミングで、伝送チャンネルを切り換えることを特徴とする請求項１から６のいずれか１項に記載の無線端末。
【請求項８】
前記通信手段が、スペクトラム拡散無線方式により、前記映像及び／又は音声データ、又は前記制御コマンドを伝送するものであることを特徴とする請求項１から７のいずれか１項に記載の無線端末。
【請求項９】
前記通信手段が、無線ＬＡＮ、又はBluetooth及びＵＷＢ（Ultra Wide Band）などの小電力近距離双方向無線通信を行うものであることを特徴とする請求項１から８のいずれか１項に記載の無線端末。
【請求項１０】
前記通信手段が、ＭＰＥＧ２符号化方式に準拠したＭＰＥＧストリームにより、前記映像及び／又は音声データを伝送するものであることを特徴とする請求項１から９のいずれか１項に記載の無線端末。
【請求項１１】
受信した映像データに基づいて映像信号を表示する表示装置を備えてなることを特徴とする請求項１から１０のいずれか１項に記載の無線端末。
【請求項１２】
前記通信状態検出手段が、表示装置で表示する映像が乱れるか否かを判定するものであることを特徴とする請求項１から１１のいずれか１項に記載の無線端末。
【請求項１３】
請求項１から１２のいずれか１項に記載の無線端末と、映像及び／又は音声データ、又は伝送チャンネル変更情報を含む制御コマンドを送受信することを特徴とするベース機器。
【請求項１４】
通信状態を検出する通信状態検出手段を備え、
前記通信状態検出手段により検出された通信状態を示す情報を、上記無線端末へ送信することを特徴とする請求項１３に記載のベース機器。
【請求項１５】
伝送チャンネルを変更する際、無線端末がすべての伝送チャンネルを一巡させる期間以上の周期、または、無線端末が１つの伝送チャンネルを保持する期間にすべての伝送チャンネルを一巡させる周期のいずれかのタイミングで、伝送チャンネルを切り換えることを特徴とする請求項１３または１４に記載のベース機器。
【請求項１６】
入力される映像及び／又は音声データが、放送受信用チューナからのデータであることを特徴とする請求項１３から１５のいずれか１項に記載のベース機器。
【請求項１７】
請求項１に記載の無線端末と、
映像及び／又は音声データ、又は伝送チャンネル変更情報を含む制御コマンドを前記無線端末と送受信するベース機器とを含むことを特徴とするワイヤレスシステム。
【請求項１８】
無線端末とベース機器とが無線ネットワークを通じて接続されたワイヤレスシステムを構成する無線端末の制御方法であって、
映像及び／又は音声データ、又は伝送チャンネル変更情報を含む制御コマンドをベース機器と送受信し、
通信状態を検出し、
前記検出された通信状態に基づいて、少なくとも前記制御コマンドの伝送状況を報知することを特徴とする無線端末の制御方法。
【請求項１９】
請求項１に記載の無線端末を動作させる制御プログラムであって、コンピュータを上記の各手段として機能させるための無線端末の制御プログラム。
【請求項２０】
請求項１９に記載の無線端末の制御プログラムを記録したコンピュータ読み取り可能な記録媒体。
【発明の詳細な説明】
【技術分野】
【０００１】
本発明は、無線端末、ベース機器、ワイヤレスシステム、無線端末の制御方法、無線端末の制御プログラム及びそれを記録したコンピュータ読み取り可能な記録媒体に関する。
【背景技術】
【０００２】
近年、インターネットの爆発的な普及に伴い、オフィス、家庭等で、ＬＡＮ（Local Area Network）を構築するケースが増えてきている。デジタル無線通信技術の進歩も手伝い、ケーブル配線の煩わしさから、無線でＬＡＮを構築する、いわゆるワイヤレスＬＡＮのニーズも非常に高まっており、さらに、ノート型パソコンに代表される移動端末での移動環境下における、使用が可能であることも手伝い、将来的には、かなりの数の普及台数が期待されている。このワイヤレスＬＡＮの代表的な技術としては、既に、ＩＥＥＥ（Institute of Electrical and Electronics Engineers）において、標準化されている、ＩＥＥＥ８０２．１１がある。この標準化された技術は、ＯＳＩモデルにおける、物理層から、データリンクの下位層であるＭＡＣ（Media Access Control：媒体アクセス制御）層までを規定しており、有線のＬＡＮ伝送路である、イーサーネット（登録商標）と置きかえることができ、さらに、ワイヤレスであるが故の付加機能として、ローミング（roaming）機能も提供できる仕様になっている。
【０００３】
また、現在、全国で視聴されているアナログ地上放送に代わる新しい地上デジタル放送の準備が進んでいる。この地上デジタル放送は、２００３年に関東、近畿、東海の３大都市圏で開始され、２００６年には全国へ拡大させる計画である。これにともない、現行のアナログ放送も２０１１年には廃止される予定である。
【０００４】
ＩＳＤＢ（Integrated Services Digital Broadcasting）は、映像、音声、データなどのあらゆる情報をデジタル・データとして扱う次世代の統合デジタル放送のコンセプトである。ＩＳＤＢの具体的なサービスとして、デジタル・テレビジョン放送、デジタル音声放送、ファクシミリ放送、マルチメディア放送などが研究されている。ＩＳＤＢの伝送路としては、衛星放送波、地上放送波、同軸ケーブルや光ファイバの有線伝送路の利用が考えられている。
【０００５】
この地上デジタル放送の技術規格ＩＳＤＢ−Ｔ（Terrestrial）では、変調方式に多数の搬送波（キャリア）を使うＯＦＤＭ（Orthogonal Frequency Division Multiplexing）が採用され、ビルによる反射など複数の伝播経路（マルチパス）によるゴースト妨害も抑制が可能となる。また、ＩＳＤＢ−Ｔではキャリア間隔を規定する伝送モードやキャリア毎の変調方式、有効シンボル長毎に設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。
【０００６】
また、ＩＳＤＢ−Ｔでは１つの伝送チャンネル（通信チャンネル）（帯域約５．６ＭＨｚ）を、１３セグメント（１セグメント＝約４３０ｋＨｚ）に分割し、これを単位に変調方式を変えることになる。これによって、１つの伝送チャンネルで音声放送とハイビジョン放送、標準固定放送と移動体放送といったように、放送局は任意に信号構成を決定することができる。
【０００７】
さらに、ＩＳＤＢ−Ｔは時間軸方向のインターリーブを取り入れており、利用する電波も移動体への伝送に適していることから、車載テレビなどの移動体受信機やＰＤＡ（Personal Digital Assistants）や携帯電話などの携帯端末でも安定した受信が可能となることが大きな特徴の一つとして挙げられる。今後、このような移動受信を想定したサービスも大いに期待されている。
【０００８】
ところで、無線ネットワークにおいて、送信機、受信機がある特定の周波数（伝送チャンネル）で通信している場合、同じ伝送チャンネルを別の送信機、受信機のペアが使用する場合、データ伝送の帯域が減少するため、後から伝送チャンネルを使用する機器は、空いている伝送チャンネルに自動的に変更する必要がある。
【０００９】
伝送チャンネルを変更する無線通信機器として、例えば特許文献１では、無線通信部が、２．４ＧＨｚ帯のフロントエンド回路と５ＧＨｚ帯のフロントエンド回路を設けて、２．４ＧＨｚ帯と５ＧＨｚ帯の２つの周波数帯に対応したものとすることで、無線ＬＡＮシステムで、同一エリア内で同時に設定可能な伝送チャンネル数を大幅に増加し、妨害電波によって通信リンクが途切れてしまうおそれを低減しようとする。
【特許文献１】特開２００２−３３６７６号公報（公開日：平成１４年１月３１日）（図１）
【発明の開示】
【発明が解決しようとする課題】
【００１０】
しかしながら、このような従来の無線通信機器にあっては、伝送チャンネルを切り替える際は、通信状態が途絶えるため、映像が表示されず、ユーザは映像が途絶えたのか、通信端末が伝送チャンネルを変更したのか分らないという問題があった。
【００１１】
本発明は、上記の問題点を解決するためになされたもので、伝送チャンネル変更等で映像の表示が途切れた場合であってもユーザに違和感を生じさせないようにして、ユーザの使い勝手を向上させることのできる無線端末、ベース機器、ワイヤレスシステム、無線端末の制御方法、無線端末の制御プログラム及びそれを記録したコンピュータ読み取り可能な記録媒体を提供することを目的とする。
【００１２】
また、本発明は、ネットワーク全体でできるだけ最適な通信状態を維持することができる無線端末、ベース機器、ワイヤレスシステム、無線端末の制御方法、無線端末の制御プログラム及びそれを記録したコンピュータ読み取り可能な記録媒体を提供することを目的とする。
【課題を解決するための手段】
【００１３】
上記課題を解決するために、本発明に係る無線端末は、映像及び／又は音声データ、又は伝送チャンネル変更情報を含む制御コマンドをベース機器と送受信する通信手段と、通信状態を検出する通信状態検出手段と、前記通信状態検出手段により検出された通信状態に基づいて、少なくとも前記制御コマンドの伝送状況を報知する報知手段と、を備えることを特徴としている。
【００１４】
また、本発明に係る無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、通信状態を検出し、前記検出された通信状態に基づいて、少なくとも前記制御コマンドの伝送状況を報知することを特徴としている。
【００１５】
上記の構成によれば、無線端末とベース機器とで送受信される制御コマンドの伝送状況を報知することができる。この制御コマンドとしては、例えば、ベース機器が通信相手である無線端末の存在を確認するために送信する「確認信号」や、確認信号を受信した無線端末が送信する「ＡＣＫ信号」等が利用できる。そして、無線端末は、制御コマンドの伝送状態が悪くなると、報知メッセージを表示するなどしてユーザに報知する。報知メッセージとしては、例えば、電波が届かなくなったときには「圏外」、電波状態が悪いときには「電波が届きにくくなっています」、伝送チャンネルを変更して通信する送信機を探しているときには「送信機を探しています」、通信する送信機を見つけて、接続の設定をしているときには「接続中」等と表示してもよい。
【００１６】
それゆえ、上記無線端末によれば、伝送チャンネル変更等で映像の表示が途切れた場合であってもユーザに違和感を生じさせないようにすることができ、ユーザの使い勝手を向上させることができる。
【００１７】
さらに、本発明に係る無線端末は、通信が途絶えた時間を計測し、該通信が途絶えてから所定の時間が経過するまでは伝送チャンネルを保持する伝送チャンネル保持手段を備えることを特徴としている。
【００１８】
上記の構成によれば、さらに、伝送チャンネルの頻繁な切り替えを防止して、ネットワーク全体でできるだけ最適な通信状態を維持することができる。
【００１９】
さらに、本発明に係る無線端末は、前記通信状態検出手段が、受信電波の電界強度、エラー率、エラー率に基づく再送要求回数のいずれか一つ以上に基づいて、通信状態を検出するものであることを特徴としている。
【００２０】
上記無線端末によれば、さらに、通信状態を検出するパラメータとして、受信電波の電界強度、エラー率、エラー率に基づく再送要求回数を好適に利用できる。また、複数種のパラメータを組み合わせることにより、より効果的な通信状態の検出が可能となる。
【００２１】
さらに、本発明に係る無線端末は、前記通信状態検出手段が、通信リンクが確立されたベース機器との通信状態を検出するものであることを特徴としている。
【００２２】
上記の構成によれば、さらに、通信リンクが確立されたベース機器との通信状態を検出することができる。
【００２３】
さらに、本発明に係る無線端末は、前記報知手段が、前記映像及び／又は音声データが途絶えていること、伝送チャンネル変更中であること、接続中であること、通信圏外であることを含む受信感度情報のうち、いずれか一つ以上を報知するものであることを特徴としている。
【００２４】
上記の構成によれば、さらに、映像及び／又は音声データが途絶えていること、伝送チャンネル変更中であること、接続中であること、通信圏外であることを含む受信感度情報のうち、いずれか一つ以上を報知することができる。
【００２５】
さらに、本発明に係る無線端末は、前記報知手段が、表示手段によるメッセージ表示、又は、音声出力手段によるメッセージ発音を行うものであることを特徴としている。
【００２６】
上記の構成によれば、さらに、メッセージ表示、又は、メッセージ発音によって、通信状態を示す各種内容の情報をユーザに適切に提示することができる。
【００２７】
さらに、本発明に係る無線端末は、伝送チャンネルを変更する際、ベース機器がすべての伝送チャンネルを一巡させる期間以上の周期、または、無線端末が１つの伝送チャンネルを保持する期間にすべての伝送チャンネルを一巡させる周期のいずれかのタイミングで、伝送チャンネルを切り換えることを特徴としている。
【００２８】
上記の構成によれば、さらに、無線端末とベース機器が同時に伝送チャンネルを変更する場合であって、必ず一致する伝送チャンネルを見出すことができるので、伝送チャンネルを変更して、通信を確立することが可能となる。
【００２９】
さらに、本発明に係る無線端末は、前記通信手段が、スペクトラム拡散無線方式により、前記映像及び／又は音声データ、又は前記制御コマンドを伝送するものであることを特徴としている。
【００３０】
上記無線端末は、さらに、スペクトラム拡散無線方式の無線通信装置に好適である。
【００３１】
さらに、本発明に係る無線端末は、前記通信手段が、無線ＬＡＮ、又はBluetooth及びＵＷＢ（Ultra Wide Band）などの小電力近距離双方向無線通信を行うものであることを特徴としている。
【００３２】
上記無線端末は、さらに、無線ＬＡＮ、又はBluetooth及びＵＷＢ（Ultra Wide Band）などの小電力近距離双方向無線通信を行う無線通信装置に好適である。
【００３３】
さらに、本発明に係る無線端末は、前記通信手段が、ＭＰＥＧ２符号化方式に準拠したＭＰＥＧストリームにより、前記映像及び／又は音声データを伝送するものであることを特徴としている。
【００３４】
上記無線端末は、さらに、ＭＰＥＧ２符号化方式に準拠したＭＰＥＧストリームにより、前記映像及び／又は音声データを伝送する無線通信装置に好適である。
【００３５】
さらに、本発明に係る無線端末は、受信した映像データに基づいて映像信号を表示する表示装置を備えてなることを特徴としている。
【００３６】
上記無線端末は、さらに、表示装置を備え、受信した映像データに基づいて映像信号を表示する、例えばディスプレイ分離型のワイヤレスＴＶ受信機に好適である。
【００３７】
さらに、本発明に係る無線端末は、前記通信状態検出手段が、表示装置で表示する映像が乱れるか否かを判定するものであることを特徴としている。
【００３８】
上記の構成によれば、さらに、表示装置で表示する映像が乱れる場合を検出して、ユーザに警告を知らせることが可能となる。
【００３９】
また、本発明に係るベース機器は、前述の無線端末と、映像及び／又は音声データ、又は伝送チャンネル変更情報を含む制御コマンドを送受信することを特徴としている。
【００４０】
上記の構成によれば、前述の無線端末と、映像及び／又は音声データ、又は伝送チャンネル変更情報を含む制御コマンドを送受信するベース機器を実現することができる。
【００４１】
さらに、本発明に係るベース機器は、通信状態を検出する通信状態検出手段を備え、前記通信状態検出手段により検出された通信状態を示す情報を、上記無線端末へ送信することを特徴としている。
【００４２】
上記の構成によれば、さらに、通信状態を示す情報を無線端末へ送信することができる。よって、無線端末は、ベース機器で検出された通信状態に基づいて、ユーザに通信状態を報知することができる。
【００４３】
さらに、本発明に係るベース機器は、伝送チャンネルを変更する際、無線端末がすべての伝送チャンネルを一巡させる期間以上の周期、または、無線端末が１つの伝送チャンネルを保持する期間にすべての伝送チャンネルを一巡させる周期のいずれかのタイミングで、伝送チャンネルを切り換えることを特徴としている。
【００４４】
上記の構成によれば、さらに、無線端末とベース機器が同時に伝送チャンネルを変更する場合であって、必ず一致する伝送チャンネルを見出すことができるので、伝送チャンネルを変更して、通信を確立することが可能となる。
【００４５】
さらに、本発明に係るベース機器は、入力される映像及び／又は音声データが、放送受信用チューナからのデータであることを特徴としている。
【００４６】
上記ベース機器は、さらに、放送受信用チューナから入力された映像及び／又は音声データを無線端末へ転送する、例えばディスプレイ分離型のワイヤレスＴＶ受信機のセンタ装置に好適である。
【００４７】
また、本発明に係るワイヤレスシステムは、前述の無線端末と、映像及び／又は音声データ、又は伝送チャンネル変更情報を含む制御コマンドを前記無線端末と送受信するベース機器とを含むことを特徴としている。
【００４８】
上記の構成によれば、無線端末とベース機器とで送受信される制御コマンドの伝送状況を報知することができる。それゆえ、上記無線端末によれば、伝送チャンネル変更等で映像の表示が途切れた場合であってもユーザに違和感を生じさせないようにすることができ、ユーザの使い勝手を向上させることができる。
【００４９】
なお、上記無線端末は、コンピュータによって実現してもよく、この場合には、コンピュータを上記各手段として動作させることにより上記無線端末をコンピュータにて実現させる無線端末の制御プログラムを記録したコンピュータ読み取り可能な記録媒体も、本発明の範疇に入る。
【発明の効果】
【００５０】
以上のように、本発明に係る無線端末は、映像及び／又は音声データ、又は伝送チャンネル変更情報を含む制御コマンドをベース機器と送受信する通信手段と、通信状態を検出する通信状態検出手段と、前記通信状態検出手段により検出された通信状態に基づいて、少なくとも前記制御コマンドの伝送状況を報知する報知手段と、を備える構成である。
【００５１】
それゆえ、伝送チャンネル変更等で映像の表示が途切れた場合であってもユーザに違和感を生じさせないようにすることができ、ユーザの使い勝手を向上させることができるという効果を奏する。
【００５２】
さらに、本発明に係る無線端末は、通信が途絶えた時間を計測し、該通信が途絶えてから所定の時間が経過するまでは伝送チャンネルを保持する伝送チャンネル保持手段を備える構成である。
【００５３】
それゆえ、伝送チャンネルの頻繁な切り替えを防止して、ネットワーク全体でできるだけ最適な通信状態を維持することができるという効果を奏する。
【発明を実施するための最良の形態】
【００５４】
以下、添付図面を参照しながら本発明の好適な実施の形態について詳細に説明する。
【００５５】
図１は、本発明の実施の形態のワイヤレスＡＶシステム１の構成を示すブロック図である。本実施の形態のワイヤレスＡＶシステム１として、ディスプレイ分離型のワイヤレスＴＶ受信機に適用した例である。また、図１０は、ディスプレイ分離型のワイヤレスＴＶ受信機であるワイヤレスＡＶシステム１の概略を示した説明図である。
【００５６】
図１および図１０に示すように、ワイヤレスＡＶシステム１は、ベース機器としてのワイヤレスセンタユニット（以下、ワイヤレスセンタという）２と、ポータブル端末（無線端末）としてのテレビジョン（ＴＶ）本体ユニット（以下、ＴＶ本体という）３とから構成され、ワイヤレスセンタ２（無線通信装置，センタ装置）とＴＶ本体３（無線通信装置，表示装置）とはペアとなって無線伝送ネットワークを構成する。
【００５７】
図１０に示すように、ＴＶ本体３は、バッテリ内蔵でワイヤレスである。また、リモートコントローラを備えて、ビデオデッキなどのリモコン操作ができるようになっている。また、ワイヤレスセンタ２は、ＢＳやＵ／Ｖ等のアンテナやＤＶＤプレーヤやビデオデッキ等のＡＶ機器等に接続されている。そして、ワイヤレスセンタ２からＴＶ本体３へ、映像及び／又は音声データがワイヤレス伝送されるようになっている。
【００５８】
図１に示すように、ワイヤレスセンタ２は、ＢＳ端子１１，Ｕ／ＶＨＦアンテナ端子１２，ダイバーシティ端子１３の各アンテナ端子と、デジタルＶＴＲ，ＤＶＤプレーヤなどの機器を接続するビデオ１入力端子（Ｓ端子付き）１４，ビデオ２入力端子（デコーダ入力）１５，ビデオ３入力端子（モニタ／ＢＳ出力兼用）１６、ＡＣ電源部１７及びＣａｒ−ＤＣ電源部１８を備える。
【００５９】
ＴＶ本体３は、デジタルＶＴＲ，ＤＶＤ（Digital Versatile Disc）プレーヤなどの機器を接続するビデオ４入力端子（ＴＶ出力兼用）２１、ＡＣ電源部２２及びＣａｒ−ＤＣ電源部２３を備える。
【００６０】
ＴＶ本体３は、ワイヤレスセンタ２と分離可能でバッテリ内蔵により携帯又は可搬できる薄型表示装置であり、例えば液晶テレビジョン（以下、液晶テレビという）、無機ＥＬ／有機ＥＬディスプレイ、プラズマディスプレイなどの種々の表示装置を含む広い概念であり、表示機構により限定されるものではない。また、本明細書において、ＴＶ本体３は、主として表示機能や音響機能などを有し、一方、ワイヤレスセンタ２は、主としてチューナ部やＴＶ本体３を制御する制御機能などを収容する。本実施の形態によるＴＶ本体３は、薄型表示装置として液晶テレビを例にして説明する。
【００６１】
ワイヤレスセンタ２とＴＶ本体３間は、ＩＥＥＥ８０２．１１規格に準拠するＳＳ（Spread Spectrum：スペクトラム拡散）無線方式によりデータ（映像及び／又は音声データ）が送受信される。最近、周波数帯として５ＧＨｚ帯が開放され、２．４ＧＨｚ帯の代わりに５ＧＨｚ帯を用いる態様でもよい。ワイヤレスセンタ２からＴＶ本体３へのデータ伝送は、ＭＰＥＧ（Moving Picture Expert Group）２の映像圧縮フォーマットを用いて、動画像伝送やDVD-Video、デジタル放送を１０Ｍｂｐｓを超える通信回線で伝送する。また、ワイヤレスセンタ２とＴＶ本体３間のコマンド（伝送チャンネル変更情報を含む制御コマンド）伝送は、ＳＳ無線方式により行う。
【００６２】
ＭＰＥＧビデオやＭＰＥＧオーディオの符号化されたストリーム（ビット列）、さらに他の符号化ストリームも含めて実際のアプリケーションに適用する場合には、同期を含めて符号化ストリームを多重化して統合し１本化するとともに、そのストリームを蓄積メディアやネットワーク等が持つ、固有の物理フォーマットやプロトコルに適合したデータ形式にする必要がある。
【００６３】
ＭＰＥＧ２システムには、ＭＰＥＧ１と同様に１つのプログラムを構成するプログラム・ストリーム（ＭＰＥＧ２−ＰＳ，ＰＳ：Program Stream）と、複数のプログラムを構成できるトランスポート・ストリーム（ＭＰＥＧ２−ＴＳ，ＴＳ：Transport Stream）とがある。
【００６４】
ＭＰＥＧストリームは、１ビットのフラグも多数あるがヘッダなどの各単位ごとにバイト整列されたバイト・ストリームである。ＭＰＥＧシステム全体に共通した構造として固定長でないデータ部分には、長さを示す情報が先行して置かれ、不要な場合はその部分をスキップしたり、次のデータ群の先頭を確認して信頼性の高い分離処理ができるデータ構造となっている。
【００６５】
ＭＰＥＧ２符号化方式に準拠し、圧縮された映像、音声信号を受信する装置は、復号化側において映像、音声データのオーバーフロー、アンダーフローの防止するために、符号化側での映像、音声サンプリング周波数と、復号化側での映像、音声サンプリング周波数またはＳＴＣ（System Time Clock）を一致させる必要がある。
【００６６】
そのため、復号化装置ではＭＰＥＧ２システム規格（ＩＳＯ／ＩＥＣ規格１３８１８−１）で規定されたＰＣＲ（Program Clock Reference：プログラム時刻基準参照値）またはＳＣＲ（System Clock Reference：システム時刻基準参照値）を用いることにより、符号化側の映像、音声サンプリング周波数と復号化側の映像、音声サンプリング周波数を一致させている。
【００６７】
図２は、上記ワイヤレスＡＶシステム１のワイヤレスセンタ２の構成を示すブロック図である。
【００６８】
図２において、ワイヤレスセンタ２は、ＢＳ端子１１に接続され選局信号によりＢＳ放送を受信・選局するＢＳチューナ３１と、Ｕ／ＶＨＦアンテナ端子１２に接続され選局信号によりＵ／ＶＨＦ放送を受信・選局するＵ／ＶＨＦチューナ３２と、ＢＳチューナ３１又はＵ／ＶＨＦチューナ３２で受信・選局された映像・音声（ＡＶ）信号を復調する映像・音声復調部３３と、音声切換信号により受信した音声とＥＰＧ（Electrical Program Guide：電子番組ガイド）などの番組に関する情報とを切換える音声切換部３４と、ソース選択信号により受信した映像・音声情報、番組に関する情報、ビデオ１入力端子（外部入力１）１４、ビデオ２入力端子（デコーダ入力）（外部入力２）１５、ビデオ３入力端子（モニタ／ＢＳ出力兼用）（外部入力３）１６からの外部入力情報を選択する第１のセレクタ３５と、ＴＶコマンド信号４４を送受信して第１のセレクタ３５により選択されたデータをＭＰＥＧ２の映像圧縮フォーマットに変換し、ＳＳ無線方式によりＴＶ本体３に送信するＳＳ送受信ユニット３６（通信手段）と、選局信号４１，音声切換信号４２，ソース選択信号４３等を送信するとともに、ＴＶコマンド信号４４を送受信して装置全体の制御を行うワイヤレスセンタマイクロコンピュータ（以下、マイコンという）３７（伝送チャンネル保持手段）と、ワイヤレスセンタマイコン３７の制御プログラム、通信制御データ、さらに伝送チャンネル変更プログラム等の種々のデータを記憶する電気的に書換可能な不揮発性メモリであるＥＥＰＲＯＭ（electrically erasable programmable ROM）３８とを備えて構成される。
【００６９】
ワイヤレスセンタ２は、放送受信用チューナを複数（ここでは２台）備え、複数のＢＳチューナ３１，Ｕ／ＶＨＦチューナのうち少なくとも１つは地上デジタル放送受信可能なチューナであってもよい。
【００７０】
ＳＳ送受信ユニット３６は、第１のセレクタ３５により選択されたデータをデジタル信号に変換するＡ／Ｄ変換部５１、データをＭＰＥＧ２の映像圧縮フォーマットに変換するＭＰＥＧ２エンコーダ５２、送信データをＳＳ無線方式により送信するＳＳ無線機及び無線制御部からなるＳＳ無線送受信エンジン５３、及びＳＳ送受信ユニット３６の各部を制御するとともに、電波状態を検出する第１のＳＳ−ＣＰＵ５４を備えて構成される。
【００７１】
ＳＳ無線送受信エンジン５３は、ＴＶ本体３のＳＳ送受信ユニット６１（図３で後述する）に、ＭＰＥＧ２ストリームやコマンド等を送信する送信機能と、ＳＳ送受信ユニット６１との間でコマンド等を送受信する送受信機能とを備える。
【００７２】
ＥＥＰＲＯＭ３８に書き込むプログラムを変えることによってワイヤレスセンタ２及びＴＶ本体３における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００７３】
図３は、上記ワイヤレスＡＶシステム１のＴＶ本体３の構成を示すブロック図である。
【００７４】
図３において、ＴＶ本体３は、ＴＶコマンド信号７１を送受信してワイヤレスセンタ２のＳＳ送受信ユニット３６から送信されたＭＰＥＧ２ストリームやコマンド伝送データを受信するとともに、受信したＭＰＥＧ２ストリームなどを元データにデコード（復元）するＳＳ送受信ユニット６１（通信手段）と、ＳＳ送受信ユニット６１により復元したデータとビデオ４入力端子（ＴＶ出力兼用）２１を介して外部から入力されるＡＶ信号とを選択する第２のセレクタ６２と、映像信号を表示し音声信号を出力するＬＣＤ等からなるＴＶ部６３（報知手段の一部）と、ＴＶコマンド信号７１を送受信するとともに、ソース選択信号７２、ＯＳＤ（オン・スクリーン・ディスプレイ）７３等を送信して装置全体の制御を行うＴＶマイコン６４（報知手段の一部、伝送チャンネル保持手段）と、ＴＶマイコン６４の制御プログラム、通信制御データ、さらに伝送チャンネル変更プログラム等の種々のデータを記憶する電気的に書換可能な不揮発性メモリであるＥＥＰＲＯＭ６５と、図示しないリモートコントロール装置（以下、リモコン装置という）からの制御コマンドを受光するリモコン受光部６６と、バッテリ６７と、バッテリ６７の充放電を制御するバッテリチャージャマイコン６８とを備えて構成される。
【００７５】
ＳＳ送受信ユニット６１は、ＳＳ無線方式により送信されたデータを受信するＳＳ無線機及び無線制御部からなるＳＳ無線送受信エンジン８１、受信したＭＰＥＧ２ストリームをデコードするＭＰＥＧ２デコーダ８２、デコードされたデータをアナログ信号に変換するＤ／Ａ変換部８３、及びＳＳ送受信ユニット６１の各部を制御するとともに、電波状態を検出する第２のＳＳ−ＣＰＵ８４（通信状態検出手段）を備えて構成される。
【００７６】
ＳＳ無線送受信エンジン８１は、ワイヤレスセンタ２のＳＳ送受信ユニット３６からのＭＰＥＧ２ストリームやコマンド等を受信する受信機能と、ＳＳ送受信ユニット６１からコマンド等を送信する送信機能とを備える。
【００７７】
特に、第２のＳＳ−ＣＰＵ８４は、受信電波の電界強度、エラー率に基づく再送要求によりワイヤレスセンタ２とＴＶ本体３間の通信状態（電波の強弱、通信路の妨害）を検出する電波状態検出手段としての機能を備える。検出された電波状態を示す情報は、ＴＶコマンド信号７１としてＴＶマイコン６４に送られる。本実施の形態では、ＴＶ本体３の第２のＳＳ−ＣＰＵ８４が上記電波状態検出機能を備える構成を示したが、ワイヤレスセンタ２の第１のＳＳ−ＣＰＵ５４が同様の機能を備え、検出した電波状態を示す情報をワイヤレスセンタ２からＴＶ本体３にコマンド伝送する態様でもよい。あるいは、第１のＳＳ−ＣＰＵ５４及び第２のＳＳ−ＣＰＵ８４双方が電波状態検出機能を備える構成でもよい。さらに、上記電波状態検出機能をＴＶマイコン６４又はワイヤレスセンタマイコン３７が行う態様でもよい。
【００７８】
ＴＶマイコン６４は、装置全体の制御を行うとともに、検出された通信状態に基づいて、映像及び音声データが途絶えていること、伝送チャンネル変更中であること、接続中であること、通信圏外を含む受信感度情報の各メッセージを知らせる報知手段としての機能を有する。
【００７９】
また、ＴＶマイコン６４は、通信が途絶えた時間を計測し、該通信が途絶えてから所定の設定時間が経過するまでは伝送チャンネルを保持する伝送チャンネル変更制御を行う。伝送チャンネル変更制御の具体例については図４乃至図９により後述する。また、ＴＶマイコン６４は、内部にＯＳＤ発生機能部を有し、番組のチャンネル、時刻、音量などの情報をテレビ等の画面上に表示する。ＴＶ等の映像装置、テレビ会議システム等の電子機器では、番組のチャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。また、ビデオ４入力端子（ＴＶ出力兼用）２１に図示しないＤＶＤ等の画像再生装置を接続すれば、表示画面上に再生画像に重畳してＯＳＤ表示が可能である。なお、テレビ放送などの原画像とＯＳＤ表示との画像重畳処理は、ＯＳＤ合成部６９（図４）が行う。
【００８０】
上記のように、ＴＶマイコン６４は、番組のチャンネルを表示する。ここで、番組のチャンネルは、ワイヤレスセンタ２との間で制御コマンドを送受信することにより得られた情報に基づいて表示される。すなわち、ＴＶマイコン６４は、受信した制御コマンドに基づいて通信リンクが確立されたワイヤレスセンタ２の情報を表示することができる。
【００８１】
また、図示は省略するが、ＴＶ本体３は、スピーカ、キー入力部、カード型外部拡張記憶媒体を挿脱するためのスロット等を備え、カード型外部拡張記憶媒体を該スロットに装着してデータを直接読み取る構成としてもよい。カード型外部拡張記憶媒体は、例えば電源バックアップにより書き込まれた情報を保持するＳＲＡＭ（Static RAM）カードや電源バックアップが不要なフラッシュメモリ等からなるコンパクトフラッシュ（登録商標）（ＣＦ）、スマートメディア、メモリスティク、さらにはコンパクトフラッシュ（登録商標）と同程度の大きさ又はＰＣカードTypeIIに装着可能な超小型ハードディスクドライブ（ＨＤＤ）等である。
【００８２】
リモコン受光部６６は、ＩＲ（Infrared Rays：赤外線）を使用する光通信ポート部であり、ＴＶ本体３又はワイヤレスセンタ２に対して各種操作を行うリモコン装置からの光信号を受光する。具体的には、赤外線を利用してデータを伝送するための規格、ＩｒＤＡ（Infrared Data Association），ＡＳＫ等に準拠して光通信を行うためのＩ／Ｏポート、又は電波による無線通信ポートである。
【００８３】
バッテリ６７は、ＴＶ本体３各部に所定の電源を供給する。バッテリチャージャマイコン６８は、バッテリ６７が充電可能状態になったとき、例えばＴＶ本体３がワイヤレスセンタ２やその他のクレードル等に装着されたことを検知し、バッテリ６７の充電媒体に対し電力供給端子（いずれも図示略）を介して充放電の制御を行う。バッテリチャージャマイコン６８は、具体的にはバッテリパックの放電電流を積算し、バッテリパックの残存容量が所定値以下になったと判断したときに充電を開始するとともに、充電時にはバッテリパックへの充電電流を積算しバッテリパックが満充電状態になったと判断したときに充電を停止させる。充電されたバッテリ６７は、ＴＶ本体３が商用電源から切り離された場合に携帯ＴＶの主電源となり、本体各部に電力を供給する。
【００８４】
以下、上述のように構成されたワイヤレスＡＶシステム１の動作を説明する。
【００８５】
図４乃至図７は、ワイヤレスＡＶシステム１の伝送チャンネル変更方法を説明するための状態遷移を示す図であり、図４は（１）起動時の遷移を、図５は（２）正常視聴中（受信感度良好）からの遷移を、図６は（３）受信感度劣化からの遷移を、図７は（４）圏外からの遷移をそれぞれ示す。本伝送チャンネル変更制御は、ＴＶ本体３のＴＶマイコン６４により実行される。図中、符号は説明のための参照番号（ステップ番号）を示している。
（１）起動時の遷移
ＴＶ本体３の電源がＯＮされると（Ｓ１０１）、ＴＶ部６３にＯＳＤ出力７３により“接続中”を表示し（Ｓ１０２）、起動待ちとなる（Ｓ１０３）。この“接続中”を表示は、ＲＣ「オンタイマー」「オフタイマー」入力時のみ表示される。また、“時計が設定されていません”表示は、起動時には表示されない。
【００８６】
ＴＶ本体３が起動すると、リモコン装置からの制御コマンドを受光して選局が行われる（Ｓ１０４）。この選局動作を詳細に説明すると、図３に示すようにリモコン装置からの制御コマンドを受光したＴＶマイコン６４がその選局に関する制御コマンドをＴＶコマンド送受信信号７１としてＳＳ送受信ユニット６１に送信し、ＴＶ本体３のＳＳ送受信ユニット６１が、ＳＳ無線方式により図２に示すワイヤレスセンタ２のＳＳ送受信ユニット３６に送信する。ＳＳ送受信ユニット３６は、受信した選局に関する制御コマンドをＴＶコマンド送受信信号４４としてワイヤレスセンタマイコン３７に送信する。ワイヤレスセンタマイコン３７は、この制御コマンドを受けてＢＳチューナ３１又はＵ／ＶＨＦチューナ３２に選局信号４１を送信し、該当するチューナ３１，３２によって選局が行われる。このように、ワイヤレスセンタ２とＴＶ本体３間は、基本的にはワイヤレスセンタ２からＴＶ本体３にＭＰＥＧ２ストリームとしてＳＳ無線方式によりデータが送られるが、コマンド伝送についてはワイヤレスセンタ２とＴＶ本体３とによりコマンドデータが送受信される。上記は、選局についてのコマンド伝送の例であるが音声やソース選択についても同様のコマンド伝送が行われる。
【００８７】
図４の（１）起動時の遷移の説明に戻って、ＴＶマイコン６４は、第２のＳＳ−ＣＰＵ８４により検出されたワイヤレスセンタ２とＴＶ本体３間の通信状態（電波の強弱、通信路の妨害）の情報を基に受信感度が良好か否かを判別する（Ｓ１０５）。受信感度が良好であればミュートを解除し（Ｓ１０６）、“接続中”を消去し（Ｓ１０７）、図５の（２）正常視聴中（受信感度良好）の遷移状態に移行する（Ｓ１０８）。このミュートは、信号接続切換え時の映像・音声のノイズを消すための無映像／無音処理である。
【００８８】
これにより、ＴＶ本体３の電源ＯＮ後、選局が完了するまではＴＶ部６３にＯＳＤ出力７３により“接続中”が表示されるが、受信感度が良好であるため直ぐに“接続中”表示は消え、図５の（２）正常視聴中に移行する。
【００８９】
上記ステップＳ１０５の判定で受信感度が良好でなければ、受信感度が劣化しているか否かを判別する（Ｓ１０９）。受信感度が劣化している場合はミュートを解除し（Ｓ１１０）、ＴＶ部６３にＯＳＤ出力７３により“電波が届きにくくなっています”を表示し（Ｓ１１１）、図６の（３）受信感度劣化からの遷移状態に移行する（Ｓ１１２）。
【００９０】
上記ステップＳ１０９の判定で受信感度が劣化でなければ、受信感度が悪化であると判定し（Ｓ１１３）、受信感度が悪化している場合はミュートを解除せずにＴＶ部６３にＯＳＤ出力７３により“圏外”を表示し（Ｓ１１４）、図７の（４）圏外からの遷移状態に移行する（Ｓ１１５）。
【００９１】
このように、ＴＶ本体３の電源ＯＮ後、“接続中”が表示され、受信感度が良好であれば“接続中”表示は消え、受信感度が良好でなければ“接続中”表示後に“電波が届きにくくなっています”又は“圏外”が表示される。したがって、ユーザは伝送チャンネルを切り替える際、接続中であるか、受信状態が悪く映像が途絶えたのか、又は通信端末が伝送チャンネルを変更したのかを容易に知ることができる。
（２）正常視聴中（受信感度良好）からの遷移
正常視聴状態にあるとき（Ｓ２０１）、第２のＳＳ−ＣＰＵ８４により通信状態（電波の強弱、通信路の妨害）の情報が入力されると、受信感度の劣化を判別する（Ｓ２０２）。受信感度が劣化している場合はＴＶ部６３にＯＳＤ出力７３により“電波が届きにくくなっています”を表示し（Ｓ２０３）、図６の（３）受信感度劣化からの遷移状態に移行する（Ｓ２０４）。
【００９２】
上記ステップＳ２０２の判定で受信感度が劣化でなければ、受信感度が悪化であるか否かを判別する（Ｓ２０５）。受信感度が悪化している場合はミュートを行い（Ｓ２０６）、ＴＶ部６３にＯＳＤ出力７３により“圏外”を表示し（Ｓ２０７）、図７の（４）圏外からの遷移状態に移行する（Ｓ２０８）。上記ステップＳ２０５の判定で受信感度が悪化していない場合は変化なしとして遷移はしない（Ｓ２０９）。
（３）“電波が届きにくくなっています”（受信感度劣化）からの遷移
受信感度劣化状態にあるとき（Ｓ３０１）、第２のＳＳ−ＣＰＵ８４からの通信状態の情報を基に受信感度が改善されたか否かを判別する（Ｓ３０２）。受信感度が改善していれば“電波が届きにくくなっています”表示を消去し（Ｓ３０３）、図５の（２）正常視聴中（受信感度良好）からの遷移状態に移行する（Ｓ３０４）。
【００９３】
上記ステップＳ３０２の判定で受信感度が改善していなければ、受信感度が悪化であるか否かを判別する（Ｓ３０５）。受信感度が悪化している場合はミュートを行い（Ｓ３０６）、ＴＶ部６３にＯＳＤ出力７３により“電波が届きにくくなっています”から“圏外”に表示切換えを行い（Ｓ３０７）、図７の（４）圏外からの遷移状態に移行する（Ｓ３０８）。上記ステップＳ３０５の判定で受信感度が悪化していない場合は、所定時間（ここでは１０秒）経過したか否かを判別する（Ｓ３０９）。１０秒経過すると“電波が届きにくくなっています”表示を消去する（Ｓ３１０）。１０秒経過以外のときは、受信感度劣化状態が所定時間（ここでは１５分）経過したか否かを判別し（Ｓ３１１）、１５分経過したときは通信が途絶えて所定時間が経過したと判断してＴＶ部６３にＯＳＤ出力７３により“電波が届きにくくなっています”を再表示する（Ｓ３１２）。上記ステップＳ３１１の判定で１５分経過していないときは処理を行わない（Ｓ３１３）。
（４）圏外からの遷移
“圏外”で受信感度劣化状態にあるとき（Ｓ４０１）、第２のＳＳ−ＣＰＵ８４からの通信状態の情報を基に受信感度が改善されたか否かを判別する（Ｓ４０２）。受信感度が改善していれば“電波が届きにくくなっています”から“接続中”に表示切換えを行い（Ｓ４０３）、選局を行う（Ｓ４０４）。選局の具体的動作については既に説明した。次いで、ミュートを解除し（Ｓ４０５）、“接続中”を消去し（Ｓ４０６）、図５の（２）正常視聴中（受信感度良好）の遷移状態に移行する（Ｓ４０７）。
【００９４】
上記ステップＳ４０２の判定で受信感度が改善していない、又は劣化状態にあるときは処理を行わない（Ｓ４０８）。このときは“圏外”表示が継続される。
【００９５】
上述した状態遷移を、複数の送受信機が存在する場合を例にとりさらに詳細に説明する。
【００９６】
図８は、複数の送受信機Ａ，Ｂ，Ｃのデータの送受信を示す図、図９は、複数の送受信機Ａ，Ｂ，Ｃの伝送チャンネル使用例を説明する図である。
【００９７】
図８及び図９において、送信機Ａは、例えば上述した液晶ＴＶのワイヤレスセンタ２、受信機Ａは、ＴＶ本体３である。また、送信機Ｂ，Ｃは、ワイヤレスＡＶシステムの上述した液晶ＴＶ以外の機器のワイヤレスセンタ、受信機Ｂ，Ｃは、その携帯端末等である。
【００９８】
ワイヤレスＡＶシステムを実現するための技術として、例えば２０００年１月に標準化が完了したＨＡＶｉ（Home Audio/Video Interoperability）Architectureと呼ばれる標準仕様がある。この仕様は、HAVi V1.0 Specification版の概要部分（1 Generalの1.1 Scope）に記述されているように、家庭用電化製品やコンピュータを接続して、ユーザがある機器を使って別の機器を操作するためのインタフェースの提供を実現している。ＨＡＶｉ仕様書では、一例としてＩＥＥＥ１３９４とＩＥＣ（International Electrotechnical Commission）６１８８３準拠の家庭用電化製品によるネットワークの構築を想定している。また、同仕様書の同概要部分にあるように、ＨＡＶｉによって実現されたネットワークに接続されている機器をすべてのユーザが自由に使用できる。このように、家庭内にあるＡＶ機器を接続してＡＶネットワークを構築することにより、ユーザは離れた部屋にある機器であっても自由に組み合わせて使用できる。
【００９９】
また、このような家庭内ＡＶネットワークのほかに、送受信機Ａ，Ｂ，Ｃは、例えば無線通信を行う携帯電話機／ＰＨＳ（Personal Handy-Phone System）（登録商標）や携帯情報端末（以下、ＰＤＡ（Personal Digital Assistants）という）などの無線通信端末であってもよい。
【０１００】
一方、ワイヤレスＡＶシステムとして無線ＬＡＮやBluetooth、ＵＷＢ（Ultra Wide Band）が使用される。無線ＬＡＮは、無線ＬＡＮ機能を持つ携帯ノート型パソコン、ＰＤＡなどの携帯情報端末に幅広く用いられている。より低消費電力が要求される携帯電話機では、Bluetooth，ＵＷＢなどの小電力近距離双方向無線通信方式が注目されている。Bluetoothは、マスタ（サーバ）とスレーブ（クライアント）との間で近距離の双方向無線通信を行うシステムであり、地球上のどこでも機器間の通信を可能にするため、全世界で使える２．４ＧＨｚ周波数帯を使用する。現在の規格での通信速度は１Ｍｂｐｓであり、将来的には２Ｍｂｐｓへのバージョンアップを計画している。実質的な伝送チャンネルのレートは、３つの伝送チャンネルまでの同期音声通信、または１つの伝送チャンネルで音声とデータの同時通信が可能。非同期チャンネルでは、７２１Ｋｂｐｓの双方向接続と５７．６Ｋｂｐｓの戻り方向接続、または４３２．６Ｋｂｐｓでの対称リンクをサポートしている。
【０１０１】
図９は、本ワイヤレスＡＶシステムの伝送チャンネル変更方法を説明する図である。本ワイヤレスＡＶシステムが、ＩＥＥＥ８０２．１１規格に準拠する場合、２．４００〜２．４８３ＧＨｚの２．４ＧＨｚ帯内に、伝送チャンネルｃｈ１から伝送チャンネルｃｈ１４までの１４の伝送チャンネルの周波数が割り当てられているものの、同一エリア内で同時に複数の伝送チャンネルを設定する場合には、隣り合う伝送チャンネルの周波数間隔を２５ＭＨｚ以上とすることが定められている。これは、送受信される高周波信号が、変調された一定の帯域を有するものであるため、隣り合う伝送チャンネルの周波数が近接していると、それぞれの伝送チャンネルの信号が互いに相手方に対して妨害電波となるからである。そのため、同一エリア内で同時に設定可能な伝送チャンネル数は、図９に示すように伝送チャンネルＡ，Ｂ，Ｃ（伝送チャンネルＣは図示略）として示すように最大で３つの伝送チャンネルに限られ、上記のように住宅が密集する地域内や部屋が近接する建物内で、住宅や部屋ごとに無線ＬＡＮシステムを構築しようとすると、伝送チャンネル不足を生じてしまう。
【０１０２】
したがって、無線ネットワークにおいて、送信機、受信機がある特定の周波数（伝送チャンネル）通信している場合、同じ伝送チャンネルを別の送信機、受信機のペアが使用する場合、後から伝送チャンネルを使用する機器は、空いている伝送チャンネルに変更する必要がある。
【０１０３】
図９の例では、伝送チャンネルＡを使って送信機Ａが受信機Ａにパケット通信を行っている。このとき、送信機Ｂが通信を行おうとする場合、送信機Ａが伝送チャンネルＡを使っているので、送信機Ｂは伝送チャンネルＡ以外の伝送チャンネルである伝送チャンネルＢを使って受信機Ｂとパケット通信を行うことになる。ここで、さらに送信機Ｃが通信を行おうとする場合、送信機Ａが伝送チャンネルＡを、送信機Ｂが伝送チャンネルＢを使っているので伝送チャンネルＡ，Ｂ以外の伝送チャンネルＣを使って通信を行うことになる。
【０１０４】
ところが、送信機Ｃからみて他の送信機（例えば、送信機Ａ）がパケット通信を行っているか否かは容易に判定できない場合がある。すなわち、送信機Ａにおいて何らかの理由でストリームが伝送されていないとき（例えば、停止ボタンを押して映像停止中）、送信機Ｃがこれを伝送チャンネルＡの空きと判断して送信機Ｃが勝手に伝送チャンネルＡを使い始めると、送信機Ａが通信を再び行う場合、伝送チャンネルＡは送信機Ｃによって使用されてしまっているため、送信機Ａは新たな伝送チャンネルを探しに行かなければならない。伝送チャンネルの切り替えには初期化等の処理も入るため３秒程度要することがある。
【０１０５】
本来、伝送チャンネル変更中はストリームも途絶えている状態である。そこで、本実施の形態では、図４乃至図７で詳述したように、伝送チャンネルを切り替える際などで通信状態が途絶えたとき、映像が途絶えたのか、送受信機が伝送チャンネルを変更したのかを、“接続中”“伝送チャンネルを探しています”“電波が届きにくくなっています”“圏外”などのメッセージ（表示によるメッセージ、音声によるメッセージ、その組み合わせのいずれでもよい）でユーザに知らせることにより、ユーザに違和感を生じさせないようにすることができる。
【０１０６】
さらに、本実施の態様では、ある伝送チャンネルにおいて通信が途絶えた時間を計測し、通信が途絶えた時間が所定の設定タイムアウト時間内のときはその伝送チャンネルは使用中であると判断する制御を行う。この制御は、送受信機の制御部が行うもので、例えば、図１乃至図３に示すワイヤレスＡＶシステムの場合には、ワイヤレスセンタマイコン３７及び／又はＴＶマイコン６４が実行する。なお、通信が途絶えた時間を計測する処理、および、使用中であることを判断する処理は、伝送チャンネルに割り込もうとする機器の制御部が行う。
【０１０７】
図９の例では、伝送チャンネルＡを使って送信機Ａが受信機Ａにパケット通信を行っているとき、送信機Ｂが通信を行おうとする場合、送信機Ａが伝送チャンネルＡを使っているので、送信機Ｂは伝送チャンネルＡ以外の伝送チャンネルである伝送チャンネルＢを使って受信機Ｂとパケット通信を行うことになる。ここで、図９に示す時点で、さらに送信機Ｃが通信を行おうとする場合、送信機Ａのパケット通信及び送信機Ｂのパケット通信は途絶えているものの、いずれも設定タイムアウト時間内であるため伝送チャンネルＡ及び伝送チャンネルＢはいずれも使用中と判断され、伝送チャンネルＡ又は伝送チャンネルＢが送信機Ｃによって使用されることはない。これにより、伝送チャンネルが頻繁に切り替えられることが未然に防止でき、ネットワーク全体で最適な通信状態を維持することができる。
【０１０８】
次に、図１１から図１５を用いて、“圏外”であることの検出方法について説明する。なお、この検出処理は、ワイヤレスセンタ２においては第１のＳＳ−ＣＰＵが、ＴＶ本体３においては第２のＳＳ−ＣＰＵが実行するが、それぞれワイヤレスセンタマイコン３７及び／又はＴＶマイコン６４が実行してもよい。
【０１０９】
図１１は、ワイヤレスセンタ２に相当する送信機と、ＴＶ本体３に相当する受信機との間で送受信される信号を示している。ここで、確認信号は相手の存在を確認するために送信する信号である。ＡＣＫ信号は確認信号を受信した旨を示す信号であり、確認信号を受信した方が送信する信号である。また、確認信号はコマンド信号であってもよい。なお、このように双方向通信であるため、データの状態を見ることで、送信側でも受信状態を把握できる。
【０１１０】
なお、図１１の例では、ＡＣＫ信号が確認信号ごとに送信されているが、受信機が１回確認信号を受信した後、確認信号を受けなくても定期的にＡＣＫ信号を送信するようにしてもよいし、確認信号を完全に省略して、確認信号を受けなくても定期的にＡＣＫ信号を送信するようにしてもよい。
【０１１１】
図１２は、確認信号を受信する側（この場合受信機）での処理を示している。まず、カウントを０にセットし（Ｓ１２０１）、一定時間（Ｔ秒）待つ（Ｓ１２０２）。そして、一定時間待っている間に確認信号を受信したかどうかを判定する（Ｓ１２０３）。確認信号を受信した場合（Ｓ１２０３でＹＥＳ）、ＡＣＫ信号を送信する（Ｓ１２０４）。一方、確認信号を受信しなかった場合（Ｓ１２０３でＮＯ）、カウントを１増やす（Ｓ１２０５）。次に、カウントの値と予め決められた所定値と比較し（Ｓ１２０６）、カウント値が所定値より小さい場合（ＮＯ）、一定時間待つ処理（Ｓ１２０２）に戻る。一方、カウント値が所定値を超えた場合（Ｓ１２０６でＹＥＳ）、圏外と判断する（Ｓ１２０７）。
【０１１２】
ここで、所定値は一定時間待つ処理の時間Ｔに関連する値で、Ｔ秒×所定値が５秒程度になるようにする。なお、所定値の値は、これに限定されるものではなく、状況に応じて最適な値を選定することができる。
【０１１３】
図１３に、図１２と同等の処理を別の手段で実現した場合の例を示す。まず、現在時刻（Ｔ０）を記録し（Ｓ１３０１）、一定時間（Ｔ秒）待つ（Ｓ１３０２）。そして、一定時間待っている間に確認信号を受信したかどうか判定する（Ｓ１３０３）。確認信号を受信した場合（Ｓ１３０３でＹＥＳ）、ＡＣＫ信号を送信する（Ｓ１３０４）。一方、確認信号を受信しなかった場合（Ｓ１３０３でＮＯ）、現在時刻（Ｔ１）を記録する（Ｓ１３０５）。次に、Ｔ１とＴ０の差分値と予め決めた所定値とを比較し（Ｓ１３０６）、差分値が所定値より小さい場合（ＮＯ）、一定時間待つ処理（Ｓ１３０２）に戻る。一方、差分値が所定値を超えた場合（Ｓ１３０６でＹＥＳ）、圏外と判断する（Ｓ１３０７）。
【０１１４】
上記の処理手順は、確認信号を受信する側での処理であった。次に、ＡＣＫ信号を受信する側の処理について説明する。
【０１１５】
図１４に示すように、まず、カウントを０にセットし（Ｓ１４０１）、一定時間（Ｔ秒）待つ（Ｓ１４０２）。次に、確認信号を送信する（Ｓ１４０３）。次に、ＡＣＫ信号を受信したかどうか判定する（Ｓ１４０４）。ＡＣＫ信号を受信した場合（Ｓ１４０４でＹＥＳ）、ステップＳ１４０１の処理に戻る。一方、ＡＣＫ信号を受信しなかった場合（Ｓ１４０４でＮＯ）、カウントを１増やす（Ｓ１４０５）。次に、カウントの値と予め決めた所定値と比較し（Ｓ１４０６）、カウント値が所定値より小さい場合（ＮＯ）、一定時間待つ処理（Ｓ１４０２）に戻る。一方、カウント値が所定値を超えた場合（Ｓ１４０６でＹＥＳ）、圏外と判断する（Ｓ１４０７）。
【０１１６】
図１５に、図１４と同等の処理を別の手順で実現した場合の例を示す。まず、現在時刻（Ｔ０）を記録し（Ｓ１５０１）、一定時間（Ｔ秒）待つ（Ｓ１５０２）。次に、確認信号を送信する（Ｓ１５０３）。次に、ＡＣＫ信号を受信したかどうか判定する（Ｓ１５０４）。ＡＣＫ信号を受信した場合（Ｓ１５０４でＹＥＳ）、ステップＳ１５０１の処理に戻る。一方、ＡＣＫ信号を受信しなかった場合（Ｓ１５０４でＮＯ）、現在時刻（Ｔ１）を記録する（Ｓ１５０５）。次に、Ｔ１とＴ０の差分値と予め決めた所定値と比較し（Ｓ１５０６）、差分値が所定値より小さい場合（ＮＯ）、一定時間待つ処理（Ｓ１５０２）に戻る。一方、差分値が所定値を超えた場合（Ｓ１５０６でＹＥＳ）、圏外と判断する（Ｓ１５０７）。
【０１１７】
このように、ワイヤレスＡＶシステム１では、送信機および受信機は、それぞれ相手からのＡＣＫ信号／確認信号を検出しており、ＡＣＫ信号／確認信号が帰ってこないときに圏外と判断している。
【０１１８】
次に、図１６を用いて、エラー率等に基づいて通信状態を、“良好”、“劣化”、“悪化”、“圏外”に分類する手順の一例について説明する。なお、この検出処理は、ＴＶ本体３の第２のＳＳ−ＣＰＵ８４が実行するが、ＴＶマイコン６４が実行してもよい。
【０１１９】
まず、パケットエラー率と予め決めた閾値（第１の閾値）Ｔｈ１とを比較する（Ｓ１６０１）。パケットエラー率とは、受信したパケットに含まれるエラー率のことである。パケットエラー率が閾値Ｔｈ１より小さいとき（Ｓ１６０１でＹＥＳ）、通信状態を“良好”と判定する（Ｓ１６０２）。なお、閾値Ｔｈ１は、例えば０．００１程度に設定できる。ただし、これに限定されるものではなく、状況に応じて最適な値を選定することができる。
【０１２０】
次に、パケットエラー率が閾値Ｔｈ１より大きい場合（Ｓ１６０１でＮＯ）、再送回数と予め決めた閾値（第２の閾値）Ｔｈ２とを比較する（Ｓ１６０３）。再送回数とは、パケットエラー率が高く、パケットの修復が不可能になったときに、パケットの再送信を行う回数である。再送回数が閾値Ｔｈ２より小さい場合（Ｓ１６０３でＹＥＳ）、通信状態を“劣化”と判定する（Ｓ１６０４）。ここで、閾値Ｔｈ２は、映像が乱れない上限値にされることが好ましい。この場合、通信状態の“劣化”とは、映像が乱れている状態を示す。なお、閾値Ｔｈ２は、例えば３程度に設定できる。ただし、これに限定されるものではなく、状況に応じて最適な値を選定することができる。
【０１２１】
次に、送信回数が閾値Ｔｈ２より大きい場合（Ｓ１６０３でＮＯ）、圏外かどうかの判定を行う（Ｓ１６０５）。圏外の判定は、上述したように図１２、図１３で示した手順で行うことができる。すなわち、ワイヤレスセンタ２が通信相手であるＴＶ本体３の存在を確認するために送信する「確認信号」や、確認信号を受信したＴＶ本体３が送信する「ＡＣＫ信号」を、受信側で所定時間内に受信できるか否かを監視することで行うことができる。そして、判定の結果、圏外でなければ（Ｓ１６０５でＮＯ）、通信状態を“悪化”と判定する（Ｓ１６０６）となる。一方、圏外であれば、通信状態を“圏外”と最終的に判定する（Ｓ１６０７）。
【０１２２】
なお、図１６では、パケットエラー率と再送回数とを用いて判定したが（Ｓ１６０１、Ｓ１６０３）、パケットエラー率のみを用いて、それと２段階の閾値と比較することによって通信状態を判定してもよい。同様に、再送回数のみを用いて、それと２段階の閾値と比較することによって通信状態を判定してもよい。なお、２段階に限らず、さらに多くの閾値と比較すれば、より詳細な判定が可能となることはいうまでもない。よって、例えば、パケットエラー率を用いた２段階の判定と、再送回数を用いた２段階の判定とを組み合わせることも可能である。
【０１２３】
また、電波の受信状態を“エラー率”、“エラー率に基づく再送要求回数”により検出する場合について説明したが、その他、“電界強度”、“エラー率の時間的変化”、“電界強度の時間的変化”、“再送要求回数の時間的変化”などがパラメータとして利用できる。特に、消費電力を抑えるための省電力モードでは、映像及び／又は音声データの送受信のない状態で、電界強度によって電波状態を判定することが好ましい。
【０１２４】
次に、図１７、図１８を用いて、伝送チャンネル変更処理および伝送チャンネル変更判定について説明する。なお、これらの処理は、ワイヤレスセンタ２においては第１のＳＳ−ＣＰＵが、ＴＶ本体３においては第２のＳＳ−ＣＰＵが実行するが、それぞれワイヤレスセンタマイコン３７及び／又はＴＶマイコン６４が実行してもよい。
【０１２５】
図１７に示すように、送信機（ワイヤレスセンタ２）において、まず、伝送チャンネル変更判定を行う（Ｓ１７０１）。伝送チャンネル変更判定は、圏外の状態が一定時間以上続くなどの条件で判定される。伝送チャンネル変更判定の結果がＹＥＳの場合（Ｓ１７０１でＹＥＳ）、通信状態は「チャンネルを探しています」になり、伝送チャンネル変更がされる（Ｓ１７０２）。
【０１２６】
ここでは、無線伝送で用いるチャンネルとして、「伝送チャンネルＡ」、「伝送チャンネルＢ」、「伝送チャンネルＣ」の３つの伝送チャンネルがあるとする。伝送チャンネルの変更の順番は、伝送チャンネルＡ→伝送チャンネルＢ→伝送チャンネルＣ→伝送チャンネルＡ→  …  という具合に順番に変更していくものとする。例えば、現在の伝送チャンネルが伝送チャンネルＢの場合、ステップＳ１７０２の処理により伝送チャンネルＣに変更することを意味する。
【０１２７】
次に、確認信号を送信する（Ｓ１７０３）。次に、ＡＣＫ信号を受信したかどうか判断する（Ｓ１７０４）。受信機からＡＣＫ信号を受信した場合（Ｓ１７０４でＹＥＳ）、その伝送チャンネルに固定され、以降の通信が行われる。このとき、通信状態は、「伝送チャンネルを探しています」から「良好」になる。
【０１２８】
一方、受信機からＡＣＫ信号が受信できなければ（Ｓ１７０４でＮＯ）、伝送チャンネル変更後の経過時間と所定時間ＴＳとが比較される（Ｓ１７０５）。そして、経過時間が所定時間ＴＳより小さいとき（Ｓ１７０５でＮＯ）、確認信号を送信する処理（Ｓ１７０３）に戻る。一方、経過時間が所定時間ＴＳより大きい場合（Ｓ１７０５でＹＥＳ）、伝送チャンネルを変更する処理（Ｓ１７０２）へ戻る。
【０１２９】
つづいて、受信機（ＴＶ本体３）での処理について同様に説明する。
【０１３０】
まず、伝送チャンネル変更判定が行われる（Ｓ１７１１）。チャンネル変更判定の結果がＹＥＳの場合（Ｓ１７１１でＹＥＳ）、通信状態は「伝送チャンネルを探しています」になり、伝送チャンネルが変更される（Ｓ１７１２）。
【０１３１】
次に、送信機から確認信号を受信したかどうかを判定する（Ｓ１７１３）。送信機から確認信号を受信した場合（Ｓ１７１３でＹＥＳ）、そのチャンネルに固定され、送信機へＡＣＫ信号を送信し（Ｓ１７１４）、以降の通信が行われる。このとき、通信状態は、「伝送チャンネルを探しています」から「良好」になる。
【０１３２】
一方、送信機から確認信号が受信できなければ（Ｓ１７１３でＮＯ）、チャンネル変更後の経過時間と所定時間ＴＪとが比較される（Ｓ１７１５）。そして、経過時間が所定時間ＴＪより小さいとき（Ｓ１７１５でＮＯ）、確認信号の受信を判定する処理（Ｓ１７１３）に戻る。一方、経過時間が所定時間ＴＪより大きい場合（Ｓ１７１５でＹＥＳ）、伝送チャンネルを変更する処理（Ｓ１７１２）へ戻る。
【０１３３】
ここで、受信機の所定時間ＴＪを送信機の所定時間ＴＳより大きくすることにより、送信機と受信機が同時に伝送チャンネルを変更する処理を行っても、同じチャンネルで通信する機会が得られる。例えば、３つの伝送チャンネルＡ，Ｂ，Ｃを順に変更する場合、所定時間ＴＪ＞所定時間ＴＳ×３とするのが望ましい。
【０１３４】
図１８は、３つの伝送チャンネルＡ，Ｂ，Ｃがある場合に、送信機と受信機とが同時に伝送チャンネルを変更するときタイミングの一例を示す説明図である。同図に示すように、送信機が所定時間ＴＳごとに、伝送チャンネルＡ→伝送チャンネルＢ→伝送チャンネルＣと伝送チャンネルを変更し、受信機が所定時間ＴＳごとに、伝送チャンネルＣ→伝送チャンネルＡ→伝送チャンネルＢとチャンネルを変更している。ここで、所定時間ＴＪ＞所定時間ＴＳ×３である。
【０１３５】
送信機が伝送チャンネルＡ，Ｂで確認信号を送信したとき、受信機が伝送チャンネルＣを選択している。よって、伝送チャンネルが異なるために、受信機には確認信号が届かない。その後、送信機が伝送チャンネルＣで確認信号を送信したとき、依然、受信機は伝送チャンネルＣを選択している。よって、伝送チャンネルが一致するために、受信機が確認信号を受信し、ＡＣＫ信号を送信機へ送信する。これにより、送信機と受信機は、伝送チャンネルＣで通信が確立する。
【０１３６】
なお、ワイヤレスＡＶシステム１のワイヤレスセンタ２およびＴＶ本体３は、通信状態の検出および報知を、映像及び／又は音声データに基づいて行ってもよいし、伝送チャンネル変更情報を含む制御コマンドに基づいて行ってもよい。映像及び／又は音声データであっても、制御コマンド（すなわち、図１１の「確認信号」「ＡＣＫ信号」等)であっても、伝送状態を報知するにあたっては、同一のメッセージを用いる。そして、映像データ、音声データ、制御コマンドのいずれか一つの伝送状態が悪くなると、報知メッセージを表示する。報知メッセージ例としては、電波が届かなくなったときには「圏外」、電波状態が悪いときには「電波が届きにくくなっています」、伝送チャンネルを変更して通信する送信機を探しているときには「送信機を探しています」、通信する送信機を見つけて、接続の設定をしているときには「接続中」等と表示する。
【０１３７】
ここで、伝送チャンネルを変更するには、「伝送チャンネル変更情報」を含む制御コマンドによる場合と、上述のように確認信号およびＡＣＫ信号の通信状態（通信が途絶えた）による場合とがある。
【０１３８】
前者は、ユーザの操作により、ある特定の伝送チャンネルに設定する場合に相当する。この伝送チャンネル変更情報には、どの伝送チャンネルに変更するかの情報が含まれる。一方、後者は、ユーザの設定が例えば“ＡＵＴＯ（自動）”になっており、空いている伝送チャネルを探す場合に相当する。
【０１３９】
以上説明したように、本実施の形態に係るワイヤレスＡＶシステム１は、ベース機器としてのワイヤレスセンタ２と、無線端末としてのＴＶ本体３とから構成され、ＴＶ本体３は、ワイヤレスセンタ２のＳＳ送受信ユニット３６から送信されたＭＰＥＧ２ストリームやコマンド伝送データを受信するとともに、受信したＭＰＥＧ２ストリームなどをデコードするＳＳ送受信ユニット６１と、映像信号を表示し音声信号を出力するＴＶ部６３と、装置全体の制御を行うＴＶマイコン６４と、受信電波の電界強度、エラー率に基づく再送要求によりワイヤレスセンタ２とＴＶ本体３間の通信状態を検出する第２のＳＳ−ＣＰＵ８４とを備え、ＴＶマイコン６４は、検出された通信状態に基づいて、映像及び音声データが途絶えていること、伝送チャンネル変更中であること、接続中であること、通信圏外を含む受信感度情報の各メッセージをＴＶ部６３にＯＳＤ表示するので、伝送チャンネルを切り替える際や電波状態が不良で通信状態が途絶えた場合であっても、伝送状況を知らせる適切なメッセージが表示されることになり、ユーザは映像が途絶えたのか通信端末が伝送チャンネルを変更したのか、あるいは電子レンジ使用などの妨害電波により通信状態が悪くなったのかを容易に知ることができ、ユーザの違和感を解消することができる。例えば、映像が表示されなくてもＯＳＤ表示により「接続中」等のメッセージが表示されるため、ユーザは映像が表示されない理由を直感的に理解して映像が表示されるまで待つことができ、映像が表示されない状態を回避するための無駄な伝送チャンネル操作を未然に防止することができる。ユーザの無駄な伝送チャンネル操作等を回避することでより一層、映像表示までの時間を短縮することができる。
【０１４０】
本実施の形態では、図７の（４）圏外からの遷移で述べたように、通信状態に応じてメッセージの内容を変えているのでユーザは通信状態の推移を身近に知ることができる。これらのメッセージは一例であり、どのような内容のものをどのようなステップで知らせてもよい。例えば、通信状態の悪化又は回復が見込める場合には、映像表示がなされるまでの概略の時間やその時間を示すイメージキャラクタで知らせるようにすればより分りやすい。
【０１４１】
また、受信状態が悪化しつつあるときに、ユーザにその次の行動指針（例えば、「受信状態が悪くなりつつあります。電波の届き易い場所に移動してください。」や「急に受信状態が悪くなりました。電子レンジ等の障害物から離れてください。」など）を表示／音声によりアナウンスするようにすればより親切なシステムとなる。
【０１４２】
本実施の形態では、映像及び音声データ等の伝送状況を知らせるメッセージをＴＶ部６３にＯＳＤ表示することにより、映像及び音声データ等の伝送状況のメッセージを知らせるようにしているが、音声合成ＬＳＩを用いて音声により報知してもよく、あるいは組み合わせて報知してもよい。また、ＯＳＤ表示に限らずどのような表示方法でもよい。
【０１４３】
さらに、本実施の形態では、通信が途絶えた時間を計測し、該通信が途絶えてから所定の設定時間が経過するまでは伝送チャンネルを保持するので、伝送チャンネルが頻繁に切り替えられてしまうことを防止することができ、ネットワーク全体で最適な通信状態を維持することができる。
【０１４４】
なお、本発明のワイヤレスＡＶシステムは、上述の実施の形態に限定されるものではなく、本発明の要旨を逸脱しない範囲内において種々変更を加え得ることは勿論である。例えば、ワイヤレスＡＶ機器として携帯ＴＶとしているが、ＴＶ受信機に限らず無線通信機能を持った又はその融合された装置に適用可能である。例えば、ＡＶ機器として、ＶＴＲ（Video Tape Recorder）のほか、ＨＤＤやＤＶＤに記録する記録再生装置でもよい。また、データ送受信のできる装置として、パソコンに代表される情報機器機能に融合された装置であってもよく、全てのシステムに適用可能である。また、送受信データの内容はどのようなものであってもよい。
【０１４５】
また、本実施の形態では、ＴＶ受信機で説明したが、これに限定されるものではなく、前述のように、チューナとパソコンや、チューナを使用する他のＡＶ機器にも応用できる。
【０１４６】
また、上記ワイヤレスＡＶシステムを構成する各処理部等の種類、設定情報の種類・形式などは前述した実施形態に限られない。
【０１４７】
また、チューナとして、ＢＳチューナとＵ／Ｖチューナの２つの放送を例に挙げているが、ＣＳチューナなど放送の種類や数はこれに限定されるものではない。
【０１４８】
また、本実施の形態では無線通信装置及びワイヤレスＡＶシステムという名称を用いたが、これは説明の便宜上であり、無線通信機器、ＡＶ機器、放送局選局装置等であってもよい。
【０１４９】
また、本実施の形態では、受信側（ＴＶ本体３）に「報知手段」を設ける構成について説明したが、送信側（ワイヤレスセンタ２）に表示パネルやＬＥＤ等によって設けてもよい。すなわち、本発明のワイヤレスＡＶシステムは、受信側における受信状況を報知する報知手段が、送信側または受信側のいずれかに備えられている構成であればよい。ただし、通信状態の検出は、受信側（ＴＶ本体３）で行うことが望ましい。
【０１５０】
以上説明したワイヤレスＡＶシステムは、このワイヤレスＡＶシステムを構成する各装置を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【０１５１】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０１５２】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【０１５３】
なお、本実施の形態は本発明の範囲を限定するものではなく、本発明の範囲内で種々の変更が可能であり、例えば、以下のように構成することができる。
【０１５４】
本発明の無線通信装置は、映像及び音声データ、又は伝送チャンネル変更情報を含む制御コマンドを送受信する通信手段と、通信状態を検出する通信状態検出手段と、前記通信状態検出手段により検出された通信状態に基づいて、少なくとも前記映像及び音声データの伝送状況を報知する報知手段とを備えていてもよい。
【０１５５】
さらに、通信が途絶えた時間を計測し、該通信が途絶えてから所定の設定時間が経過するまでは伝送チャンネルを保持するものであってもよい。
【０１５６】
前記通信手段は、ＳＳ（Spread Spectrum）無線方式により前記映像及び音声データ、又は前記制御コマンドを伝送するものであってもよい。
【０１５７】
前記通信手段は、ＭＰＥＧ２符号化方式に準拠したＭＰＥＧストリームにより前記映像及び音声データを伝送するものであってもよい。
【０１５８】
前記通信手段は、小電力近距離双方向無線通信であってもよい。
【０１５９】
また、より好ましい具体的な態様として、前記通信手段は、Bluetooth、ＵＷＢ、又は無線ＬＡＮである。
【０１６０】
前記通信状態検出手段は、受信電波の電界強度、又はエラー率、又はエラー率に基づく再送要求回数により通信状態を検出することがより好ましい。
【０１６１】
前記通信状態検出手段は、通信リンクが確立された無線通信装置間の通信状態を検出することがより好ましい。
【０１６２】
また、前記報知手段は、前記映像及び音声データが途絶えていること、伝送チャンネル変更中であること、接続中であること、通信圏外を含む受信感度情報のうち、少なくともいずれか１つ以上を報知するものであってもよい。
【０１６３】
前記報知手段は、表示手段によるメッセージ表示、又は、音声出力手段によるメッセージ発音であってもよい。
【０１６４】
本発明のワイヤレスＡＶシステムは、複数の無線通信装置を無線ネットワークを通じて接続するワイヤレスＡＶシステムであって、前記無線通信装置は、前述の無線通信装置であってもよい。
【０１６５】
また、より好ましい具体的な態様として、前記無線通信装置は、表示装置と、放送受信用チューナを有し、前記表示装置に映像及び音声データを伝送するセンタ装置とからなるテレビジョン受信機である。
【０１６６】
また、本発明の動作制御プログラムは、無線ネットワークを構成する複数の無線通信装置において、映像及び音声データ、又は伝送チャンネル変更情報を含む制御コマンドを送受信し、通信状態を検出し、前記検出された通信状態に基づいて、少なくとも前記映像及び音声データの伝送状況を報知する制御処理をコンピュータに実行させるためのプログラムであってもよい。
【０１６７】
さらに、本発明の動作制御プログラムを記録した記録媒体は、無線ネットワークを構成する複数の無線通信装置において、映像及び音声データ、又は伝送チャンネル変更情報を含む制御コマンドを送受信し、通信状態を検出し、前記検出された通信状態に基づいて、少なくとも前記映像及び音声データの伝送状況を報知する制御処理をコンピュータに実行させるためのプログラムを記録したものであってもよい。
【０１６８】
また、本発明の無線端末は、映像及び／又は音声データ、又は伝送チャンネル変更情報を含む制御コマンドをベース機器と送受信する通信手段と、通信状態を検出する通信状態検出手段と、前記通信状態検出手段により検出された通信状態に基づいて、受信感度情報を報知する報知手段と、を備えて構成されていてもよい。
【０１６９】
また、本発明の無線端末は、映像及び／又は音声データ、又は伝送チャンネル変更情報を含む制御コマンドをベース機器と送受信する通信手段と、通信状態を検出する通信状態検出手段と、前記通信状態検出手段により検出された通信状態に基づいて、少なくとも前記映像及び／又は音声データの伝送状況を報知する報知手段と、を備えて構成されていてもよい。
【０１７０】
さらに、本発明の無線端末は、通信が途絶えた時間を計測し、該通信が途絶えてから所定の時間が経過するまでは伝送チャンネルを保持する伝送チャンネル保持手段を備えていてもよい。
【０１７１】
さらに、本発明の無線端末は、前記通信状態検出手段が、受信電波の電界強度、エラー率、エラー率に基づく再送要求回数のいずれか一つ以上に基づいて、通信状態を検出するものであってもよい。
【０１７２】
さらに、本発明の無線端末は、前記通信状態検出手段が、通信リンクが確立されたベース機器との通信状態を検出するものであってもよい。
【０１７３】
さらに、本発明の無線端末は、前記報知手段が、前記映像及び／又は音声データが途絶えていること、伝送チャンネル変更中であること、接続中であること、通信圏外であることを含む受信感度情報のうち、いずれか一つ以上を報知するものであってもよい。
【０１７４】
また、本発明の無線端末は、映像及び／又は音声データ、又は伝送チャンネル変更情報を含む制御コマンドをベース機器と送受信する通信手段を備えるとともに、前記通信手段が、前記ベース機器にて検出された通信状態を示す情報を、ベース機器から受信するものであり、前記通信手段が受信した前記通信状態を示す情報に基づいて、受信感度情報を報知する報知手段を備えていてもよい。
【０１７５】
さらに、本発明の無線端末は、前記報知手段が、表示手段によるメッセージ表示、又は、音声出力手段によるメッセージ発音であってもよい。
【０１７６】
また、本発明の無線端末は、映像及び／又は音声データ、又は伝送チャンネル変更情報を含む制御コマンドをベース機器と送受信する通信手段を備えるとともに、通信が途絶えた時間を計測し、該通信が途絶えてから所定の時間が経過するまでは伝送チャンネルを保持する伝送チャンネル保持手段を備えていてもよい。
【０１７７】
さらに、本発明の無線端末は、前記通信手段が、スペクトラム拡散無線方式により、前記映像及び／又は音声データ、又は前記制御コマンドを伝送するものであってもよい。
【０１７８】
さらに、本発明の無線端末は、前記通信手段が、無線ＬＡＮ、又はBluetooth及びＵＷＢ（Ultra Wide Band）などの小電力近距離双方向無線通信を行うものであってもよい。
【０１７９】
さらに、本発明の無線端末は、前記通信手段が、ＭＰＥＧ２符号化方式に準拠したＭＰＥＧストリームにより、前記映像及び／又は音声データを伝送するものであってもよい。
【０１８０】
さらに、本発明の無線端末は、少なくとも、受信した映像データに基づいて映像信号を表示する、及び/又は、受信した制御コマンドに基づいて通信リンクが確立されたベース機器の情報を表示する、表示装置を備えていてもよい。
【０１８１】
さらに、本発明のベース機器は、前述の無線端末と、映像及び／又は音声データ、又は伝送チャンネル変更情報を含む制御コマンドを送受信するものであってもよい。
【０１８２】
さらに、本発明のベース機器は、通信状態を検出する通信状態検出手段を備え、前記通信状態検出手段により検出された通信状態を示す情報を、上記無線端末へ送信するものであってもよい。
【０１８３】
さらに、本発明のベース機器は、入力される映像及び／又は音声データが、外部からのデータであってもよい。
【０１８４】
さらに、本発明のベース機器は、入力される映像及び／又は音声データが、放送受信用チューナからのデータであってもよい。
【０１８５】
また、本発明のワイヤレスシステムは、前述の無線端末と、映像及び／又は音声データ、又は伝送チャンネル変更情報を含む制御コマンドを前記無線端末と送受信するベース機器とを含む構成であってもよい。
【０１８６】
また、本発明の無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、通信状態を検出し、前記検出された通信状態に基づいて、受信感度情報を報知する方法であってもよい。
【０１８７】
また、本発明の無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、通信状態を検出し、前記検出された通信状態に基づいて、少なくとも前記映像及び／又は音声データの伝送状況を報知する方法であってもよい。
【０１８８】
また、本発明の無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、前記ベース機器にて検出された通信状態を示す情報を、ベース機器から受信して、当該通信状態を示す情報に基づいて、受信感度情報を報知する方法であってもよい。
【０１８９】
また、本発明の無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、通信が途絶えた時間を計測し、該通信が途絶えてから所定の時間が経過するまでは伝送チャンネルを保持する方法であってもよい。
【０１９０】
また、本発明の無線端末の制御プログラムは、前述の無線端末を動作させる制御プログラムであって、コンピュータを上記の各手段として機能させるためのものであってもよい。
【０１９１】
また、本発明のコンピュータ読み取り可能な記録媒体は、前述の無線端末の制御プログラムを記録したものである。
【産業上の利用可能性】
【０１９２】
本発明のワイヤレスシステムは、映像及び／又は音声データを無線伝送する、例えばディスプレイ分離型のワイヤレスＴＶ受信機のような家庭内ＡＶネットワークシステムに好適であるが、これに限定されず、携帯電話機／ＰＨＳ（Personal Handy-Phone System）（登録商標）や携帯情報端末（ＰＤＡ（Personal Digital Assistants））などの無線通信機器に広く適用可能である。
【図面の簡単な説明】
【０１９３】
【図１】本発明の実施の形態のワイヤレスＡＶシステムの構成を示すブロック図である。
【図２】図１に示したワイヤレスＡＶシステムのワイヤレスセンタの構成を示すブロック図である。
【図３】図１に示したワイヤレスＡＶシステムのＴＶ本体の構成を示すブロック図である。
【図４】図１に示したワイヤレスＡＶシステムにおける伝送チャンネル変更方法を説明するための状態遷移図である。
【図５】図１に示したワイヤレスＡＶシステムにおける伝送チャンネル変更方法を説明するための状態遷移図である。
【図６】図１に示したワイヤレスＡＶシステムにおける伝送チャンネル変更方法を説明するための状態遷移図である。
【図７】図１に示したワイヤレスＡＶシステムにおける伝送チャンネル変更方法を説明するための状態遷移図である。
【図８】図１に示したワイヤレスＡＶシステムの複数の送受信機Ａ，Ｂ，Ｃのデータの送受信を示す図である。
【図９】図１に示したワイヤレスＡＶシステムの複数の送受信機Ａ，Ｂ，Ｃの伝送チャンネル使用例を説明する図である。
【図１０】図１に示したワイヤレスＡＶシステムの概略を示した説明図である。
【図１１】図１に示したワイヤレスＡＶシステムのワイヤレスセンタとＴＶ本体との間で送受信される制御コマンドを示す説明図である。
【図１２】図１に示したワイヤレスＡＶシステムのＴＶ本体において“圏外”を判定する処理を示すフローチャートである。
【図１３】図１に示したワイヤレスＡＶシステムのＴＶ本体において“圏外”を判定する処理を示すフローチャートである。
【図１４】図１に示したワイヤレスＡＶシステムのワイヤレスセンタにおいて“圏外”を判定する処理を示すフローチャートである。
【図１５】図１に示したワイヤレスＡＶシステムのワイヤレスセンタにおいて“圏外”を判定する処理を示すフローチャートである。
【図１６】図１に示したワイヤレスＡＶシステムのＴＶ本体における通信状態の判定処理を示すフローチャートである。
【図１７】図１に示したワイヤレスＡＶシステムのワイヤレスセンタおよびＴＶ本体における伝送チャンネル変更処理を示すフローチャートである。
【図１８】図１に示したワイヤレスＡＶシステムのワイヤレスセンタおよびＴＶ本体による伝送チャンネル変更の一例を示す説明図である。
【符号の説明】
【０１９４】
１  ワイヤレスＡＶシステム
２  ワイヤレスセンタユニット（ワイヤレスセンタ）（ベース機器、無線通信装置，センタ装置）
３  テレビジョン本体ユニット（ＴＶ本体）（無線端末、無線通信装置，表示装置）
１１  ＢＳ端子
１２  Ｕ／ＶＨＦアンテナ端子
１３  ダイバーシティ端子
１４  ビデオ１入力端子（Ｓ端子付き）
１５  ビデオ２入力端子（デコーダ入力）
１６  ビデオ３入力端子（モニタ／ＢＳ出力兼用）
１７  ＡＣ電源部
１８  Ｃａｒ−ＤＣ電源部
２１  ビデオ４入力端子（ＴＶ出力兼用）
２２  ＡＣ電源部
２３  Ｃａｒ−ＤＣ電源部
３１  ＢＳチューナ
３２  Ｕ／ＶＨＦチューナ
３３  映像・音声復調部
３４  音声切換部
３５  第１のセレクタ
３６  ＳＳ送受信ユニット（通信手段）
３７  ワイヤレスセンタマイクロコンピュータ（ワイヤレスセンタマイコン）
（伝送チャンネル保持手段）
３８，６５  ＥＥＰＲＯＭ
５１  Ａ／Ｄ変換部
５２  ＭＰＥＧ２エンコーダ
５３  ＳＳ無線送受信エンジン
５４  ＳＳ−ＣＰＵ（通信状態検出手段）
６１  ＳＳ送受信ユニット（通信手段）
６２  第２のセレクタ
６３  ＴＶ部（報知手段の一部）
６４  ＴＶマイコン（報知手段の一部、伝送チャンネル保持手段）
６６  リモコン受光部
６７  バッテリ
６８  バッテリチャージャマイコン
８１  ＳＳ無線送受信エンジン
８２  ＭＰＥＧ２デコーダ
８３  Ｄ／Ａ変換部
８４  第２のＳＳ−ＣＰＵ（通信状態検出手段）
【図１】
2004336729.tif 000003
【図２】
2004336729.tif 000004
【図３】
2004336729.tif 000005
【図４】
2004336729.tif 000006
【図５】
2004336729.tif 000007
【図６】
2004336729.tif 000008
【図７】
2004336729.tif 000009
【図８】
2004336729.tif 000010
【図９】
2004336729.tif 000011
【図１０】
2004336729.tif 000012
【図１１】
2004336729.tif 000013
【図１２】
2004336729.tif 000014
【図１３】
2004336729.tif 000015
【図１４】
2004336729.tif 000016
【図１５】
2004336729.tif 000017
【図１６】
2004336729.tif 000018
【図１７】
2004336729.tif 000019
【図１８】
2004336729.tif 000020
【手続補正書】
【提出日】平成16年8月30日(2004.8.30)
【手続補正１】
【補正対象書類名】特許請求の範囲
【補正対象項目名】全文
【補正方法】変更
【補正の内容】
【特許請求の範囲】
【請求項１】
映像及び／又は音声データ、又は伝送チャンネル変更情報を含む制御コマンドをベース機器と送受信する通信手段と、
通信状態を検出する通信状態検出手段とを備え、
伝送チャンネルを変更する際、ベース機器がすべての伝送チャンネルを一巡させる期間以上の期間１つの伝送チャンネルを保持することを特徴とする無線端末。
【請求項２】
映像及び／又は音声データ、又は伝送チャンネル変更情報を含む制御コマンドを無線端末と送受信するベース機器であって、
伝送チャンネルを変更する際、無線端末が１つの伝送チャンネルを保持する期間にすべての伝送チャンネルを一巡させるように伝送チャンネルを切り換えることを特徴とするベース機器。
【請求項３】
映像及び／又は音声データ、又は伝送チャンネル変更情報を含む制御コマンドをベース機器と送受信する通信手段と、
通信状態を検出する通信状態検出手段とを備え、
伝送チャンネルを変更する際、ベース機器が１つの伝送チャンネルを保持する期間にすべての伝送チャンネルを一巡させるように伝送チャンネルを切り換えることを特徴とする無線端末。
【請求項４】
映像及び／又は音声データ、又は伝送チャンネル変更情報を含む制御コマンドを無線端末と送受信するベース機器であって、
伝送チャンネルを変更する際、無線端末がすべての伝送チャンネルを一巡させる期間以上の期間１つの伝送チャンネルを保持することを特徴とするベース機器。
【請求項５】
通信が途絶えた時間を計測し、該通信が途絶えてから所定の時間が経過するまでは伝送チャンネルを保持する伝送チャンネル保持手段を備えることを特徴とする請求項１または３に記載の無線端末。
【請求項６】
前記通信状態検出手段が、受信電波の電界強度、エラー率、エラー率に基づく再送要求回数のいずれか一つ以上に基づいて、通信状態を検出するものであることを特徴とする請求項１、３、５のいずれか１項に記載の無線端末。
【請求項７】
前記通信状態検出手段が、通信リンクが確立されたベース機器との通信状態を検出するものであることを特徴とする請求項１、３、５、６のいずれか１項に記載の無線端末。
【請求項８】
前記通信状態検出手段により検出された通信状態に基づいて、少なくとも前記制御コマンドの伝送状況を報知する報知手段と、を備えることを特徴とする請求項１、３、５から７のいずれか１項に記載の無線端末。
【請求項９】
前記報知手段が、前記映像及び／又は音声データが途絶えていること、伝送チャンネル変更中であること、接続中であること、通信圏外であることを含む受信感度情報のうち、いずれか一つ以上を報知するものであることを特徴とする請求項８に記載の無線端末。
【請求項１０】
前記報知手段が、表示手段によるメッセージ表示、又は、音声出力手段によるメッセージ発音を行うものであることを特徴とする請求項８または９に記載の無線端末。
【請求項１１】
前記表示手段が、受信した映像データに基づく画像を表示するためのものであり、
前記報知手段は、前記表示手段によるメッセージ表示を、前記映像データに基づく画像と一緒に表示する、あるいは、該映像データに基づく画像がない状態で表示することを特徴とする請求項８から１０のいずれか１項に記載の無線端末。
【請求項１２】
前記表示手段が、受信した映像データに基づく画像を表示するためのものであり、
前記報知手段は、前記表示手段によるメッセージ表示を、受信した映像データに基づく画像に重畳させて表示することを特徴とする請求項８から１０のいずれか１項に記載の無線端末。
【請求項１３】
前記通信手段が、スペクトラム拡散無線方式により、前記映像及び／又は音声データ、又は前記制御コマンドを伝送するものであることを特徴とする請求項１、３、５から１２のいずれか１項に記載の無線端末。
【請求項１４】
前記通信手段が、無線ＬＡＮ、又はBluetooth及びＵＷＢ（Ultra Wide Band）などの小電力近距離双方向無線通信を行うものであることを特徴とする請求項１、３、５から１３のいずれか１項に記載の無線端末。
【請求項１５】
前記通信手段が、ＭＰＥＧ２符号化方式に準拠したＭＰＥＧストリームにより、前記映像及び／又は音声データを伝送するものであることを特徴とする請求項１、３、５から１４のいずれか１項に記載の無線端末。
【請求項１６】
受信した映像データに基づいて映像信号を表示する表示装置を備えてなることを特徴とする請求項１、３、５から１５のいずれか１項に記載の無線端末。
【請求項１７】
前記通信状態検出手段が、表示装置で表示する映像が乱れるか否かを判定するものであることを特徴とする請求項１、３、５から１６のいずれか１項に記載の無線端末。
【請求項１８】
請求項１に記載の無線端末と、
請求項２に記載のベース機器とを含むことを特徴とするワイヤレスシステム。
【請求項１９】
請求項３に記載の無線端末と、
請求項４に記載のベース機器とを含むことを特徴とするワイヤレスシステム。
【請求項２０】
上記ベース機器は、
通信状態を検出する通信状態検出手段を備え、
前記通信状態検出手段により検出された通信状態を示す情報を、上記無線端末へ送信することを特徴とする請求項１８または１９に記載のワイヤレスシステム。
【請求項２１】
上記ベース機器に入力される映像及び／又は音声データが、放送受信用チューナからのデータであることを特徴とする請求項１８から２０のいずれか１項に記載のワイヤレスシステム。
【請求項２２】
無線端末とベース機器とが無線ネットワークを通じて接続されたワイヤレスシステムを構成する無線端末の制御方法であって、
伝送チャンネルを変更する際、ベース機器がすべての伝送チャンネルを一巡させる期間以上の期間１つの伝送チャンネルを保持することを特徴とする無線端末の制御方法。
【請求項２３】
無線端末とベース機器とが無線ネットワークを通じて接続されたワイヤレスシステムを構成するベース機器の制御方法であって、
伝送チャンネルを変更する際、無線端末が１つの伝送チャンネルを保持する期間にすべての伝送チャンネルを一巡させるように伝送チャンネルを切り換えることを特徴とするベース機器の制御方法。
【請求項２４】
無線端末とベース機器とが無線ネットワークを通じて接続されたワイヤレスシステムを構成する無線端末の制御方法であって、
伝送チャンネルを変更する際、ベース機器が１つの伝送チャンネルを保持する期間にすべての伝送チャンネルを一巡させるように伝送チャンネルを切り換えることを特徴とする無線端末の制御方法。
【請求項２５】
無線端末とベース機器とが無線ネットワークを通じて接続されたワイヤレスシステムを構成するベース機器の制御方法であって、
伝送チャンネルを変更する際、無線端末がすべての伝送チャンネルを一巡させる期間以上の期間１つの伝送チャンネルを保持することを特徴とするベース機器の制御方法。
【請求項２６】
請求項１または３に記載の無線端末を動作させる制御プログラムであって、コンピュータを上記無線端末として機能させるための制御プログラム。
【請求項２７】
請求項２または４に記載のベース機器を動作させる制御プログラムであって、コンピュータを上記ベース機器として機能させるための制御プログラム。
【請求項２８】
請求項２６または２７に記載の制御プログラムを記録したコンピュータ読み取り可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、無線端末、ベース機器、ワイヤレスシステム、無線端末およびベース機器の制御方法、制御プログラム及びそれを記録したコンピュータ読み取り可能な記録媒体に関する。
【背景技術】
【０００２】
近年、インターネットの爆発的な普及に伴い、オフィス、家庭等で、ＬＡＮ（Local Area Network）を構築するケースが増えてきている。デジタル無線通信技術の進歩も手伝い、ケーブル配線の煩わしさから、無線でＬＡＮを構築する、いわゆるワイヤレスＬＡＮのニーズも非常に高まっており、さらに、ノート型パソコンに代表される移動端末での移動環境下における、使用が可能であることも手伝い、将来的には、かなりの数の普及台数が期待されている。このワイヤレスＬＡＮの代表的な技術としては、既に、ＩＥＥＥ（Institute of Electrical and Electronics Engineers）において、標準化されている、ＩＥＥＥ８０２．１１がある。この標準化された技術は、ＯＳＩモデルにおける、物理層から、データリンクの下位層であるＭＡＣ（Media Access Control：媒体アクセス制御）層までを規定しており、有線のＬＡＮ伝送路である、イーサーネット（登録商標）と置きかえることができ、さらに、ワイヤレスであるが故の付加機能として、ローミング（roaming）機能も提供できる仕様になっている。
【０００３】
また、現在、全国で視聴されているアナログ地上放送に代わる新しい地上デジタル放送の準備が進んでいる。この地上デジタル放送は、２００３年に関東、近畿、東海の３大都市圏で開始され、２００６年には全国へ拡大させる計画である。これにともない、現行のアナログ放送も２０１１年には廃止される予定である。
【０００４】
ＩＳＤＢ（Integrated Services Digital Broadcasting）は、映像、音声、データなどのあらゆる情報をデジタル・データとして扱う次世代の統合デジタル放送のコンセプトである。ＩＳＤＢの具体的なサービスとして、デジタル・テレビジョン放送、デジタル音声放送、ファクシミリ放送、マルチメディア放送などが研究されている。ＩＳＤＢの伝送路としては、衛星放送波、地上放送波、同軸ケーブルや光ファイバの有線伝送路の利用が考えられている。
【０００５】
この地上デジタル放送の技術規格ＩＳＤＢ−Ｔ（Terrestrial）では、変調方式に多数の搬送波（キャリア）を使うＯＦＤＭ（Orthogonal Frequency Division Multiplexing）が採用され、ビルによる反射など複数の伝播経路（マルチパス）によるゴースト妨害も抑制が可能となる。また、ＩＳＤＢ−Ｔではキャリア間隔を規定する伝送モードやキャリア毎の変調方式、有効シンボル長毎に設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。
【０００６】
また、ＩＳＤＢ−Ｔでは１つの伝送チャンネル（通信チャンネル）（帯域約５．６ＭＨｚ）を、１３セグメント（１セグメント＝約４３０ｋＨｚ）に分割し、これを単位に変調方式を変えることになる。これによって、１つの伝送チャンネルで音声放送とハイビジョン放送、標準固定放送と移動体放送といったように、放送局は任意に信号構成を決定することができる。
【０００７】
さらに、ＩＳＤＢ−Ｔは時間軸方向のインターリーブを取り入れており、利用する電波も移動体への伝送に適していることから、車載テレビなどの移動体受信機やＰＤＡ（Personal Digital Assistants）や携帯電話などの携帯端末でも安定した受信が可能となることが大きな特徴の一つとして挙げられる。今後、このような移動受信を想定したサービスも大いに期待されている。
【０００８】
ところで、無線ネットワークにおいて、送信機、受信機がある特定の周波数（伝送チャンネル）で通信している場合、同じ伝送チャンネルを別の送信機、受信機のペアが使用する場合、データ伝送の帯域が減少するため、後から伝送チャンネルを使用する機器は、空いている伝送チャンネルに自動的に変更する必要がある。
【０００９】
伝送チャンネルを変更する無線通信機器として、例えば特許文献１では、無線通信部が、２．４ＧＨｚ帯のフロントエンド回路と５ＧＨｚ帯のフロントエンド回路を設けて、２．４ＧＨｚ帯と５ＧＨｚ帯の２つの周波数帯に対応したものとすることで、無線ＬＡＮシステムで、同一エリア内で同時に設定可能な伝送チャンネル数を大幅に増加し、妨害電波によって通信リンクが途切れてしまうおそれを低減しようとする。
【特許文献１】特開２００２−３３６７６号公報（公開日：平成１４年１月３１日）（図１）
【発明の開示】
【発明が解決しようとする課題】
【００１０】
しかしながら、このような従来の無線通信機器にあっては、伝送チャンネルを切り替える際は、通信状態が途絶えるため、映像が表示されず、ユーザは映像が途絶えたのか、通信端末が伝送チャンネルを変更したのか分らないという問題があった。
【００１１】
本発明は、上記の問題点を解決するためになされたもので、伝送チャンネル変更等で映像の表示が途切れた場合であってもユーザに違和感を生じさせないようにして、ユーザの使い勝手を向上させることのできる無線端末、ベース機器、ワイヤレスシステム、無線端末の制御方法、無線端末の制御プログラム及びそれを記録したコンピュータ読み取り可能な記録媒体を提供することを目的とする。
【００１２】
また、本発明は、ネットワーク全体でできるだけ最適な通信状態を維持することができる無線端末、ベース機器、ワイヤレスシステム、無線端末およびベース機器の制御方法、制御プログラム及びそれを記録したコンピュータ読み取り可能な記録媒体を提供することを目的とする。
【課題を解決するための手段】
【００１３】
上記課題を解決するために、本発明に係る無線端末は、映像及び／又は音声データ、又は伝送チャンネル変更情報を含む制御コマンドをベース機器と送受信する通信手段と、通信状態を検出する通信状態検出手段と、前記通信状態検出手段により検出された通信状態に基づいて、少なくとも前記制御コマンドの伝送状況を報知する報知手段と、を備えることを特徴としている。
【００１４】
また、本発明に係る無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、通信状態を検出し、前記検出された通信状態に基づいて、少なくとも前記制御コマンドの伝送状況を報知することを特徴としている。
【００１５】
上記の構成によれば、無線端末とベース機器とで送受信される制御コマンドの伝送状況を報知することができる。この制御コマンドとしては、例えば、ベース機器が通信相手である無線端末の存在を確認するために送信する「確認信号」や、確認信号を受信した無線端末が送信する「ＡＣＫ信号」等が利用できる。そして、無線端末は、制御コマンドの伝送状態が悪くなると、報知メッセージを表示するなどしてユーザに報知する。報知メッセージとしては、例えば、電波が届かなくなったときには「圏外」、電波状態が悪いときには「電波が届きにくくなっています」、伝送チャンネルを変更して通信する送信機を探しているときには「送信機を探しています」、通信する送信機を見つけて、接続の設定をしているときには「接続中」等と表示してもよい。
【００１６】
それゆえ、上記無線端末によれば、伝送チャンネル変更等で映像の表示が途切れた場合であってもユーザに違和感を生じさせないようにすることができ、ユーザの使い勝手を向上させることができる。
【００１７】
さらに、本発明に係る無線端末は、通信が途絶えた時間を計測し、該通信が途絶えてから所定の時間が経過するまでは伝送チャンネルを保持する伝送チャンネル保持手段を備えることを特徴としている。
【００１８】
上記の構成によれば、さらに、伝送チャンネルの頻繁な切り替えを防止して、ネットワーク全体でできるだけ最適な通信状態を維持することができる。
【００１９】
さらに、本発明に係る無線端末は、前記通信状態検出手段が、受信電波の電界強度、エラー率、エラー率に基づく再送要求回数のいずれか一つ以上に基づいて、通信状態を検出するものであることを特徴としている。
【００２０】
上記無線端末によれば、さらに、通信状態を検出するパラメータとして、受信電波の電界強度、エラー率、エラー率に基づく再送要求回数を好適に利用できる。また、複数種のパラメータを組み合わせることにより、より効果的な通信状態の検出が可能となる。
【００２１】
さらに、本発明に係る無線端末は、前記通信状態検出手段が、通信リンクが確立されたベース機器との通信状態を検出するものであることを特徴としている。
【００２２】
上記の構成によれば、さらに、通信リンクが確立されたベース機器との通信状態を検出することができる。
【００２３】
さらに、本発明に係る無線端末は、前記報知手段が、前記映像及び／又は音声データが途絶えていること、伝送チャンネル変更中であること、接続中であること、通信圏外であることを含む受信感度情報のうち、いずれか一つ以上を報知するものであることを特徴としている。
【００２４】
上記の構成によれば、さらに、映像及び／又は音声データが途絶えていること、伝送チャンネル変更中であること、接続中であること、通信圏外であることを含む受信感度情報のうち、いずれか一つ以上を報知することができる。
【００２５】
さらに、本発明に係る無線端末は、前記報知手段が、表示手段によるメッセージ表示、又は、音声出力手段によるメッセージ発音を行うものであることを特徴としている。
【００２６】
上記の構成によれば、さらに、メッセージ表示、又は、メッセージ発音によって、通信状態を示す各種内容の情報をユーザに適切に提示することができる。
【００２７】
さらに、本発明に係る無線端末は、伝送チャンネルを変更する際、ベース機器がすべての伝送チャンネルを一巡させる期間以上の周期、または、無線端末が１つの伝送チャンネルを保持する期間にすべての伝送チャンネルを一巡させる周期のいずれかのタイミングで、伝送チャンネルを切り換えることを特徴としている。
【００２８】
すなわち、本発明に係る無線端末は、映像及び／又は音声データ、又は伝送チャンネル変更情報を含む制御コマンドをベース機器と送受信する通信手段と、通信状態を検出する通信状態検出手段とを備え、伝送チャンネルを変更する際、ベース機器がすべての伝送チャンネルを一巡させる期間以上の期間１つの伝送チャンネルを保持することを特徴としている。あるいは、本発明に係る無線端末は、映像及び／又は音声データ、又は伝送チャンネル変更情報を含む制御コマンドをベース機器と送受信する通信手段と、通信状態を検出する通信状態検出手段とを備え、伝送チャンネルを変更する際、ベース機器が１つの伝送チャンネルを保持する期間にすべての伝送チャンネルを一巡させるように伝送チャンネルを切り換えることを特徴としている。
【００２９】
上記の構成によれば、さらに、無線端末とベース機器が同時に伝送チャンネルを変更する場合であって、必ず一致する伝送チャンネルを見出すことができるので、伝送チャンネルを変更して、通信を確立することが可能となる。
【００３０】
さらに、本発明に係る無線端末は、前記通信手段が、スペクトラム拡散無線方式により、前記映像及び／又は音声データ、又は前記制御コマンドを伝送するものであることを特徴としている。
【００３１】
上記無線端末は、さらに、スペクトラム拡散無線方式の無線通信装置に好適である。
【００３２】
さらに、本発明に係る無線端末は、前記通信手段が、無線ＬＡＮ、又はBluetooth及びＵＷＢ（Ultra Wide Band）などの小電力近距離双方向無線通信を行うものであることを特徴としている。
【００３３】
上記無線端末は、さらに、無線ＬＡＮ、又はBluetooth及びＵＷＢ（Ultra Wide Band）などの小電力近距離双方向無線通信を行う無線通信装置に好適である。
【００３４】
さらに、本発明に係る無線端末は、前記通信手段が、ＭＰＥＧ２符号化方式に準拠したＭＰＥＧストリームにより、前記映像及び／又は音声データを伝送するものであることを特徴としている。
【００３５】
上記無線端末は、さらに、ＭＰＥＧ２符号化方式に準拠したＭＰＥＧストリームにより、前記映像及び／又は音声データを伝送する無線通信装置に好適である。
【００３６】
さらに、本発明に係る無線端末は、受信した映像データに基づいて映像信号を表示する表示装置を備えてなることを特徴としている。
【００３７】
上記無線端末は、さらに、表示装置を備え、受信した映像データに基づいて映像信号を表示する、例えばディスプレイ分離型のワイヤレスＴＶ受信機に好適である。
【００３８】
さらに、本発明に係る無線端末は、前記通信状態検出手段が、表示装置で表示する映像が乱れるか否かを判定するものであることを特徴としている。
【００３９】
上記の構成によれば、さらに、表示装置で表示する映像が乱れる場合を検出して、ユーザに警告を知らせることが可能となる。
【００４０】
また、本発明に係るベース機器は、前述の無線端末と、映像及び／又は音声データ、又は伝送チャンネル変更情報を含む制御コマンドを送受信することを特徴としている。
【００４１】
上記の構成によれば、前述の無線端末と、映像及び／又は音声データ、又は伝送チャンネル変更情報を含む制御コマンドを送受信するベース機器を実現することができる。
【００４２】
さらに、本発明に係るベース機器は、通信状態を検出する通信状態検出手段を備え、前記通信状態検出手段により検出された通信状態を示す情報を、上記無線端末へ送信することを特徴としている。
【００４３】
上記の構成によれば、さらに、通信状態を示す情報を無線端末へ送信することができる。よって、無線端末は、ベース機器で検出された通信状態に基づいて、ユーザに通信状態を報知することができる。
【００４４】
さらに、本発明に係るベース機器は、伝送チャンネルを変更する際、無線端末がすべての伝送チャンネルを一巡させる期間以上の周期、または、無線端末が１つの伝送チャンネルを保持する期間にすべての伝送チャンネルを一巡させる周期のいずれかのタイミングで、伝送チャンネルを切り換えることを特徴としている。
【００４５】
すなわち、本発明に係るベース機器は、映像及び／又は音声データ、又は伝送チャンネル変更情報を含む制御コマンドを無線端末と送受信するベース機器であって、伝送チャンネルを変更する際、無線端末が１つの伝送チャンネルを保持する期間にすべての伝送チャンネルを一巡させるように伝送チャンネルを切り換えることを特徴としている。あるいは、本発明に係るベース機器は、映像及び／又は音声データ、又は伝送チャンネル変更情報を含む制御コマンドを無線端末と送受信するベース機器であって、伝送チャンネルを変更する際、無線端末がすべての伝送チャンネルを一巡させる期間以上の期間１つの伝送チャンネルを保持することを特徴としている。
【００４６】
上記の構成によれば、さらに、無線端末とベース機器が同時に伝送チャンネルを変更する場合であって、必ず一致する伝送チャンネルを見出すことができるので、伝送チャンネルを変更して、通信を確立することが可能となる。
【００４７】
さらに、本発明に係るベース機器は、入力される映像及び／又は音声データが、放送受信用チューナからのデータであることを特徴としている。
【００４８】
上記ベース機器は、さらに、放送受信用チューナから入力された映像及び／又は音声データを無線端末へ転送する、例えばディスプレイ分離型のワイヤレスＴＶ受信機のセンタ装置に好適である。
【００４９】
また、本発明に係るワイヤレスシステムは、前述の無線端末と、映像及び／又は音声データ、又は伝送チャンネル変更情報を含む制御コマンドを前記無線端末と送受信するベース機器とを含むことを特徴としている。
【００５０】
上記の構成によれば、無線端末とベース機器とで送受信される制御コマンドの伝送状況を報知することができる。それゆえ、上記無線端末によれば、伝送チャンネル変更等で映像の表示が途切れた場合であってもユーザに違和感を生じさせないようにすることができ、ユーザの使い勝手を向上させることができる。
【００５１】
なお、上記無線端末は、コンピュータによって実現してもよく、この場合には、コンピュータを上記各手段として動作させることにより上記無線端末をコンピュータにて実現させる無線端末の制御プログラムを記録したコンピュータ読み取り可能な記録媒体も、本発明の範疇に入る。
【発明の効果】
【００５２】
以上のように、本発明に係る無線端末は、映像及び／又は音声データ、又は伝送チャンネル変更情報を含む制御コマンドをベース機器と送受信する通信手段と、通信状態を検出する通信状態検出手段と、前記通信状態検出手段により検出された通信状態に基づいて、少なくとも前記制御コマンドの伝送状況を報知する報知手段と、を備える構成である。
【００５３】
それゆえ、伝送チャンネル変更等で映像の表示が途切れた場合であってもユーザに違和感を生じさせないようにすることができ、ユーザの使い勝手を向上させることができるという効果を奏する。
【００５４】
さらに、本発明に係る無線端末は、通信が途絶えた時間を計測し、該通信が途絶えてから所定の時間が経過するまでは伝送チャンネルを保持する伝送チャンネル保持手段を備える構成である。
【００５５】
それゆえ、伝送チャンネルの頻繁な切り替えを防止して、ネットワーク全体でできるだけ最適な通信状態を維持することができるという効果を奏する。
【発明を実施するための最良の形態】
【００５６】
以下、添付図面を参照しながら本発明の好適な実施の形態について詳細に説明する。
【００５７】
図１は、本発明の実施の形態のワイヤレスＡＶシステム１の構成を示すブロック図である。本実施の形態のワイヤレスＡＶシステム１として、ディスプレイ分離型のワイヤレスＴＶ受信機に適用した例である。また、図１０は、ディスプレイ分離型のワイヤレスＴＶ受信機であるワイヤレスＡＶシステム１の概略を示した説明図である。
【００５８】
図１および図１０に示すように、ワイヤレスＡＶシステム１は、ベース機器としてのワイヤレスセンタユニット（以下、ワイヤレスセンタという）２と、ポータブル端末（無線端末）としてのテレビジョン（ＴＶ）本体ユニット（以下、ＴＶ本体という）３とから構成され、ワイヤレスセンタ２（無線通信装置，センタ装置）とＴＶ本体３（無線通信装置，表示装置）とはペアとなって無線伝送ネットワークを構成する。
【００５９】
図１０に示すように、ＴＶ本体３は、バッテリ内蔵でワイヤレスである。また、リモートコントローラを備えて、ビデオデッキなどのリモコン操作ができるようになっている。また、ワイヤレスセンタ２は、ＢＳやＵ／Ｖ等のアンテナやＤＶＤプレーヤやビデオデッキ等のＡＶ機器等に接続されている。そして、ワイヤレスセンタ２からＴＶ本体３へ、映像及び／又は音声データがワイヤレス伝送されるようになっている。
【００６０】
図１に示すように、ワイヤレスセンタ２は、ＢＳ端子１１，Ｕ／ＶＨＦアンテナ端子１２，ダイバーシティ端子１３の各アンテナ端子と、デジタルＶＴＲ，ＤＶＤプレーヤなどの機器を接続するビデオ１入力端子（Ｓ端子付き）１４，ビデオ２入力端子（デコーダ入力）１５，ビデオ３入力端子（モニタ／ＢＳ出力兼用）１６、ＡＣ電源部１７及びＣａｒ−ＤＣ電源部１８を備える。
【００６１】
ＴＶ本体３は、デジタルＶＴＲ，ＤＶＤ（Digital Versatile Disc）プレーヤなどの機器を接続するビデオ４入力端子（ＴＶ出力兼用）２１、ＡＣ電源部２２及びＣａｒ−ＤＣ電源部２３を備える。
【００６２】
ＴＶ本体３は、ワイヤレスセンタ２と分離可能でバッテリ内蔵により携帯又は可搬できる薄型表示装置であり、例えば液晶テレビジョン（以下、液晶テレビという）、無機ＥＬ／有機ＥＬディスプレイ、プラズマディスプレイなどの種々の表示装置を含む広い概念であり、表示機構により限定されるものではない。また、本明細書において、ＴＶ本体３は、主として表示機能や音響機能などを有し、一方、ワイヤレスセンタ２は、主としてチューナ部やＴＶ本体３を制御する制御機能などを収容する。本実施の形態によるＴＶ本体３は、薄型表示装置として液晶テレビを例にして説明する。
【００６３】
ワイヤレスセンタ２とＴＶ本体３間は、ＩＥＥＥ８０２．１１規格に準拠するＳＳ（Spread Spectrum：スペクトラム拡散）無線方式によりデータ（映像及び／又は音声データ）が送受信される。最近、周波数帯として５ＧＨｚ帯が開放され、２．４ＧＨｚ帯の代わりに５ＧＨｚ帯を用いる態様でもよい。ワイヤレスセンタ２からＴＶ本体３へのデータ伝送は、ＭＰＥＧ（Moving Picture Expert Group）２の映像圧縮フォーマットを用いて、動画像伝送やDVD-Video、デジタル放送を１０Ｍｂｐｓを超える通信回線で伝送する。また、ワイヤレスセンタ２とＴＶ本体３間のコマンド（伝送チャンネル変更情報を含む制御コマンド）伝送は、ＳＳ無線方式により行う。
【００６４】
ＭＰＥＧビデオやＭＰＥＧオーディオの符号化されたストリーム（ビット列）、さらに他の符号化ストリームも含めて実際のアプリケーションに適用する場合には、同期を含めて符号化ストリームを多重化して統合し１本化するとともに、そのストリームを蓄積メディアやネットワーク等が持つ、固有の物理フォーマットやプロトコルに適合したデータ形式にする必要がある。
【００６５】
ＭＰＥＧ２システムには、ＭＰＥＧ１と同様に１つのプログラムを構成するプログラム・ストリーム（ＭＰＥＧ２−ＰＳ，ＰＳ：Program Stream）と、複数のプログラムを構成できるトランスポート・ストリーム（ＭＰＥＧ２−ＴＳ，ＴＳ：Transport Stream）とがある。
【００６６】
ＭＰＥＧストリームは、１ビットのフラグも多数あるがヘッダなどの各単位ごとにバイト整列されたバイト・ストリームである。ＭＰＥＧシステム全体に共通した構造として固定長でないデータ部分には、長さを示す情報が先行して置かれ、不要な場合はその部分をスキップしたり、次のデータ群の先頭を確認して信頼性の高い分離処理ができるデータ構造となっている。
【００６７】
ＭＰＥＧ２符号化方式に準拠し、圧縮された映像、音声信号を受信する装置は、復号化側において映像、音声データのオーバーフロー、アンダーフローの防止するために、符号化側での映像、音声サンプリング周波数と、復号化側での映像、音声サンプリング周波数またはＳＴＣ（System Time Clock）を一致させる必要がある。
【００６８】
そのため、復号化装置ではＭＰＥＧ２システム規格（ＩＳＯ／ＩＥＣ規格１３８１８−１）で規定されたＰＣＲ（Program Clock Reference：プログラム時刻基準参照値）またはＳＣＲ（System Clock Reference：システム時刻基準参照値）を用いることにより、符号化側の映像、音声サンプリング周波数と復号化側の映像、音声サンプリング周波数を一致させている。
【００６９】
図２は、上記ワイヤレスＡＶシステム１のワイヤレスセンタ２の構成を示すブロック図である。
【００７０】
図２において、ワイヤレスセンタ２は、ＢＳ端子１１に接続され選局信号によりＢＳ放送を受信・選局するＢＳチューナ３１と、Ｕ／ＶＨＦアンテナ端子１２に接続され選局信号によりＵ／ＶＨＦ放送を受信・選局するＵ／ＶＨＦチューナ３２と、ＢＳチューナ３１又はＵ／ＶＨＦチューナ３２で受信・選局された映像・音声（ＡＶ）信号を復調する映像・音声復調部３３と、音声切換信号により受信した音声とＥＰＧ（Electrical Program Guide：電子番組ガイド）などの番組に関する情報とを切換える音声切換部３４と、ソース選択信号により受信した映像・音声情報、番組に関する情報、ビデオ１入力端子（外部入力１）１４、ビデオ２入力端子（デコーダ入力）（外部入力２）１５、ビデオ３入力端子（モニタ／ＢＳ出力兼用）（外部入力３）１６からの外部入力情報を選択する第１のセレクタ３５と、ＴＶコマンド信号４４を送受信して第１のセレクタ３５により選択されたデータをＭＰＥＧ２の映像圧縮フォーマットに変換し、ＳＳ無線方式によりＴＶ本体３に送信するＳＳ送受信ユニット３６（通信手段）と、選局信号４１，音声切換信号４２，ソース選択信号４３等を送信するとともに、ＴＶコマンド信号４４を送受信して装置全体の制御を行うワイヤレスセンタマイクロコンピュータ（以下、マイコンという）３７（伝送チャンネル保持手段）と、ワイヤレスセンタマイコン３７の制御プログラム、通信制御データ、さらに伝送チャンネル変更プログラム等の種々のデータを記憶する電気的に書換可能な不揮発性メモリであるＥＥＰＲＯＭ（electrically erasable programmable ROM）３８とを備えて構成される。
【００７１】
ワイヤレスセンタ２は、放送受信用チューナを複数（ここでは２台）備え、複数のＢＳチューナ３１，Ｕ／ＶＨＦチューナのうち少なくとも１つは地上デジタル放送受信可能なチューナであってもよい。
【００７２】
ＳＳ送受信ユニット３６は、第１のセレクタ３５により選択されたデータをデジタル信号に変換するＡ／Ｄ変換部５１、データをＭＰＥＧ２の映像圧縮フォーマットに変換するＭＰＥＧ２エンコーダ５２、送信データをＳＳ無線方式により送信するＳＳ無線機及び無線制御部からなるＳＳ無線送受信エンジン５３、及びＳＳ送受信ユニット３６の各部を制御するとともに、電波状態を検出する第１のＳＳ−ＣＰＵ５４を備えて構成される。
【００７３】
ＳＳ無線送受信エンジン５３は、ＴＶ本体３のＳＳ送受信ユニット６１（図３で後述する）に、ＭＰＥＧ２ストリームやコマンド等を送信する送信機能と、ＳＳ送受信ユニット６１との間でコマンド等を送受信する送受信機能とを備える。
【００７４】
ＥＥＰＲＯＭ３８に書き込むプログラムを変えることによってワイヤレスセンタ２及びＴＶ本体３における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００７５】
図３は、上記ワイヤレスＡＶシステム１のＴＶ本体３の構成を示すブロック図である。
【００７６】
図３において、ＴＶ本体３は、ＴＶコマンド信号７１を送受信してワイヤレスセンタ２のＳＳ送受信ユニット３６から送信されたＭＰＥＧ２ストリームやコマンド伝送データを受信するとともに、受信したＭＰＥＧ２ストリームなどを元データにデコード（復元）するＳＳ送受信ユニット６１（通信手段）と、ＳＳ送受信ユニット６１により復元したデータとビデオ４入力端子（ＴＶ出力兼用）２１を介して外部から入力されるＡＶ信号とを選択する第２のセレクタ６２と、映像信号を表示し音声信号を出力するＬＣＤ等からなるＴＶ部６３（報知手段の一部）と、ＴＶコマンド信号７１を送受信するとともに、ソース選択信号７２、ＯＳＤ（オン・スクリーン・ディスプレイ）７３等を送信して装置全体の制御を行うＴＶマイコン６４（報知手段の一部、伝送チャンネル保持手段）と、ＴＶマイコン６４の制御プログラム、通信制御データ、さらに伝送チャンネル変更プログラム等の種々のデータを記憶する電気的に書換可能な不揮発性メモリであるＥＥＰＲＯＭ６５と、図示しないリモートコントロール装置（以下、リモコン装置という）からの制御コマンドを受光するリモコン受光部６６と、バッテリ６７と、バッテリ６７の充放電を制御するバッテリチャージャマイコン６８とを備えて構成される。
【００７７】
ＳＳ送受信ユニット６１は、ＳＳ無線方式により送信されたデータを受信するＳＳ無線機及び無線制御部からなるＳＳ無線送受信エンジン８１、受信したＭＰＥＧ２ストリームをデコードするＭＰＥＧ２デコーダ８２、デコードされたデータをアナログ信号に変換するＤ／Ａ変換部８３、及びＳＳ送受信ユニット６１の各部を制御するとともに、電波状態を検出する第２のＳＳ−ＣＰＵ８４（通信状態検出手段）を備えて構成される。
【００７８】
ＳＳ無線送受信エンジン８１は、ワイヤレスセンタ２のＳＳ送受信ユニット３６からのＭＰＥＧ２ストリームやコマンド等を受信する受信機能と、ＳＳ送受信ユニット６１からコマンド等を送信する送信機能とを備える。
【００７９】
特に、第２のＳＳ−ＣＰＵ８４は、受信電波の電界強度、エラー率に基づく再送要求によりワイヤレスセンタ２とＴＶ本体３間の通信状態（電波の強弱、通信路の妨害）を検出する電波状態検出手段としての機能を備える。検出された電波状態を示す情報は、ＴＶコマンド信号７１としてＴＶマイコン６４に送られる。本実施の形態では、ＴＶ本体３の第２のＳＳ−ＣＰＵ８４が上記電波状態検出機能を備える構成を示したが、ワイヤレスセンタ２の第１のＳＳ−ＣＰＵ５４が同様の機能を備え、検出した電波状態を示す情報をワイヤレスセンタ２からＴＶ本体３にコマンド伝送する態様でもよい。あるいは、第１のＳＳ−ＣＰＵ５４及び第２のＳＳ−ＣＰＵ８４双方が電波状態検出機能を備える構成でもよい。さらに、上記電波状態検出機能をＴＶマイコン６４又はワイヤレスセンタマイコン３７が行う態様でもよい。
【００８０】
ＴＶマイコン６４は、装置全体の制御を行うとともに、検出された通信状態に基づいて、映像及び音声データが途絶えていること、伝送チャンネル変更中であること、接続中であること、通信圏外を含む受信感度情報の各メッセージを知らせる報知手段としての機能を有する。
【００８１】
また、ＴＶマイコン６４は、通信が途絶えた時間を計測し、該通信が途絶えてから所定の設定時間が経過するまでは伝送チャンネルを保持する伝送チャンネル変更制御を行う。伝送チャンネル変更制御の具体例については図４乃至図９により後述する。また、ＴＶマイコン６４は、内部にＯＳＤ発生機能部を有し、番組のチャンネル、時刻、音量などの情報をテレビ等の画面上に表示する。ＴＶ等の映像装置、テレビ会議システム等の電子機器では、番組のチャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。また、ビデオ４入力端子（ＴＶ出力兼用）２１に図示しないＤＶＤ等の画像再生装置を接続すれば、表示画面上に再生画像に重畳してＯＳＤ表示が可能である。なお、テレビ放送などの原画像とＯＳＤ表示との画像重畳処理は、ＯＳＤ合成部６９（図４）が行う。
【００８２】
上記のように、ＴＶマイコン６４は、番組のチャンネルを表示する。ここで、番組のチャンネルは、ワイヤレスセンタ２との間で制御コマンドを送受信することにより得られた情報に基づいて表示される。すなわち、ＴＶマイコン６４は、受信した制御コマンドに基づいて通信リンクが確立されたワイヤレスセンタ２の情報を表示することができる。
【００８３】
また、図示は省略するが、ＴＶ本体３は、スピーカ、キー入力部、カード型外部拡張記憶媒体を挿脱するためのスロット等を備え、カード型外部拡張記憶媒体を該スロットに装着してデータを直接読み取る構成としてもよい。カード型外部拡張記憶媒体は、例えば電源バックアップにより書き込まれた情報を保持するＳＲＡＭ（Static RAM）カードや電源バックアップが不要なフラッシュメモリ等からなるコンパクトフラッシュ（登録商標）（ＣＦ）、スマートメディア、メモリスティク、さらにはコンパクトフラッシュ（登録商標）と同程度の大きさ又はＰＣカードTypeIIに装着可能な超小型ハードディスクドライブ（ＨＤＤ）等である。
【００８４】
リモコン受光部６６は、ＩＲ（Infrared Rays：赤外線）を使用する光通信ポート部であり、ＴＶ本体３又はワイヤレスセンタ２に対して各種操作を行うリモコン装置からの光信号を受光する。具体的には、赤外線を利用してデータを伝送するための規格、ＩｒＤＡ（Infrared Data Association），ＡＳＫ等に準拠して光通信を行うためのＩ／Ｏポート、又は電波による無線通信ポートである。
【００８５】
バッテリ６７は、ＴＶ本体３各部に所定の電源を供給する。バッテリチャージャマイコン６８は、バッテリ６７が充電可能状態になったとき、例えばＴＶ本体３がワイヤレスセンタ２やその他のクレードル等に装着されたことを検知し、バッテリ６７の充電媒体に対し電力供給端子（いずれも図示略）を介して充放電の制御を行う。バッテリチャージャマイコン６８は、具体的にはバッテリパックの放電電流を積算し、バッテリパックの残存容量が所定値以下になったと判断したときに充電を開始するとともに、充電時にはバッテリパックへの充電電流を積算しバッテリパックが満充電状態になったと判断したときに充電を停止させる。充電されたバッテリ６７は、ＴＶ本体３が商用電源から切り離された場合に携帯ＴＶの主電源となり、本体各部に電力を供給する。
【００８６】
以下、上述のように構成されたワイヤレスＡＶシステム１の動作を説明する。
【００８７】
図４乃至図７は、ワイヤレスＡＶシステム１の伝送チャンネル変更方法を説明するための状態遷移を示す図であり、図４は（１）起動時の遷移を、図５は（２）正常視聴中（受信感度良好）からの遷移を、図６は（３）受信感度劣化からの遷移を、図７は（４）圏外からの遷移をそれぞれ示す。本伝送チャンネル変更制御は、ＴＶ本体３のＴＶマイコン６４により実行される。図中、符号は説明のための参照番号（ステップ番号）を示している。
（１）起動時の遷移
ＴＶ本体３の電源がＯＮされると（Ｓ１０１）、ＴＶ部６３にＯＳＤ出力７３により“接続中”を表示し（Ｓ１０２）、起動待ちとなる（Ｓ１０３）。この“接続中”を表示は、ＲＣ「オンタイマー」「オフタイマー」入力時のみ表示される。また、“時計が設定されていません”表示は、起動時には表示されない。
【００８８】
ＴＶ本体３が起動すると、リモコン装置からの制御コマンドを受光して選局が行われる（Ｓ１０４）。この選局動作を詳細に説明すると、図３に示すようにリモコン装置からの制御コマンドを受光したＴＶマイコン６４がその選局に関する制御コマンドをＴＶコマンド送受信信号７１としてＳＳ送受信ユニット６１に送信し、ＴＶ本体３のＳＳ送受信ユニット６１が、ＳＳ無線方式により図２に示すワイヤレスセンタ２のＳＳ送受信ユニット３６に送信する。ＳＳ送受信ユニット３６は、受信した選局に関する制御コマンドをＴＶコマンド送受信信号４４としてワイヤレスセンタマイコン３７に送信する。ワイヤレスセンタマイコン３７は、この制御コマンドを受けてＢＳチューナ３１又はＵ／ＶＨＦチューナ３２に選局信号４１を送信し、該当するチューナ３１，３２によって選局が行われる。このように、ワイヤレスセンタ２とＴＶ本体３間は、基本的にはワイヤレスセンタ２からＴＶ本体３にＭＰＥＧ２ストリームとしてＳＳ無線方式によりデータが送られるが、コマンド伝送についてはワイヤレスセンタ２とＴＶ本体３とによりコマンドデータが送受信される。上記は、選局についてのコマンド伝送の例であるが音声やソース選択についても同様のコマンド伝送が行われる。
【００８９】
図４の（１）起動時の遷移の説明に戻って、ＴＶマイコン６４は、第２のＳＳ−ＣＰＵ８４により検出されたワイヤレスセンタ２とＴＶ本体３間の通信状態（電波の強弱、通信路の妨害）の情報を基に受信感度が良好か否かを判別する（Ｓ１０５）。受信感度が良好であればミュートを解除し（Ｓ１０６）、“接続中”を消去し（Ｓ１０７）、図５の（２）正常視聴中（受信感度良好）の遷移状態に移行する（Ｓ１０８）。このミュートは、信号接続切換え時の映像・音声のノイズを消すための無映像／無音処理である。
【００９０】
これにより、ＴＶ本体３の電源ＯＮ後、選局が完了するまではＴＶ部６３にＯＳＤ出力７３により“接続中”が表示されるが、受信感度が良好であるため直ぐに“接続中”表示は消え、図５の（２）正常視聴中に移行する。
【００９１】
上記ステップＳ１０５の判定で受信感度が良好でなければ、受信感度が劣化しているか否かを判別する（Ｓ１０９）。受信感度が劣化している場合はミュートを解除し（Ｓ１１０）、ＴＶ部６３にＯＳＤ出力７３により“電波が届きにくくなっています”を表示し（Ｓ１１１）、図６の（３）受信感度劣化からの遷移状態に移行する（Ｓ１１２）。
【００９２】
上記ステップＳ１０９の判定で受信感度が劣化でなければ、受信感度が悪化であると判定し（Ｓ１１３）、受信感度が悪化している場合はミュートを解除せずにＴＶ部６３にＯＳＤ出力７３により“圏外”を表示し（Ｓ１１４）、図７の（４）圏外からの遷移状態に移行する（Ｓ１１５）。
【００９３】
このように、ＴＶ本体３の電源ＯＮ後、“接続中”が表示され、受信感度が良好であれば“接続中”表示は消え、受信感度が良好でなければ“接続中”表示後に“電波が届きにくくなっています”又は“圏外”が表示される。したがって、ユーザは伝送チャンネルを切り替える際、接続中であるか、受信状態が悪く映像が途絶えたのか、又は通信端末が伝送チャンネルを変更したのかを容易に知ることができる。
（２）正常視聴中（受信感度良好）からの遷移
正常視聴状態にあるとき（Ｓ２０１）、第２のＳＳ−ＣＰＵ８４により通信状態（電波の強弱、通信路の妨害）の情報が入力されると、受信感度の劣化を判別する（Ｓ２０２）。受信感度が劣化している場合はＴＶ部６３にＯＳＤ出力７３により“電波が届きにくくなっています”を表示し（Ｓ２０３）、図６の（３）受信感度劣化からの遷移状態に移行する（Ｓ２０４）。
【００９４】
上記ステップＳ２０２の判定で受信感度が劣化でなければ、受信感度が悪化であるか否かを判別する（Ｓ２０５）。受信感度が悪化している場合はミュートを行い（Ｓ２０６）、ＴＶ部６３にＯＳＤ出力７３により“圏外”を表示し（Ｓ２０７）、図７の（４）圏外からの遷移状態に移行する（Ｓ２０８）。上記ステップＳ２０５の判定で受信感度が悪化していない場合は変化なしとして遷移はしない（Ｓ２０９）。
（３）“電波が届きにくくなっています”（受信感度劣化）からの遷移
受信感度劣化状態にあるとき（Ｓ３０１）、第２のＳＳ−ＣＰＵ８４からの通信状態の情報を基に受信感度が改善されたか否かを判別する（Ｓ３０２）。受信感度が改善していれば“電波が届きにくくなっています”表示を消去し（Ｓ３０３）、図５の（２）正常視聴中（受信感度良好）からの遷移状態に移行する（Ｓ３０４）。
【００９５】
上記ステップＳ３０２の判定で受信感度が改善していなければ、受信感度が悪化であるか否かを判別する（Ｓ３０５）。受信感度が悪化している場合はミュートを行い（Ｓ３０６）、ＴＶ部６３にＯＳＤ出力７３により“電波が届きにくくなっています”から“圏外”に表示切換えを行い（Ｓ３０７）、図７の（４）圏外からの遷移状態に移行する（Ｓ３０８）。上記ステップＳ３０５の判定で受信感度が悪化していない場合は、所定時間（ここでは１０秒）経過したか否かを判別する（Ｓ３０９）。１０秒経過すると“電波が届きにくくなっています”表示を消去する（Ｓ３１０）。１０秒経過以外のときは、受信感度劣化状態が所定時間（ここでは１５分）経過したか否かを判別し（Ｓ３１１）、１５分経過したときは通信が途絶えて所定時間が経過したと判断してＴＶ部６３にＯＳＤ出力７３により“電波が届きにくくなっています”を再表示する（Ｓ３１２）。上記ステップＳ３１１の判定で１５分経過していないときは処理を行わない（Ｓ３１３）。
（４）圏外からの遷移
“圏外”で受信感度劣化状態にあるとき（Ｓ４０１）、第２のＳＳ−ＣＰＵ８４からの通信状態の情報を基に受信感度が改善されたか否かを判別する（Ｓ４０２）。受信感度が改善していれば“電波が届きにくくなっています”から“接続中”に表示切換えを行い（Ｓ４０３）、選局を行う（Ｓ４０４）。選局の具体的動作については既に説明した。次いで、ミュートを解除し（Ｓ４０５）、“接続中”を消去し（Ｓ４０６）、図５の（２）正常視聴中（受信感度良好）の遷移状態に移行する（Ｓ４０７）。
【００９６】
上記ステップＳ４０２の判定で受信感度が改善していない、又は劣化状態にあるときは処理を行わない（Ｓ４０８）。このときは“圏外”表示が継続される。
【００９７】
上述した状態遷移を、複数の送受信機が存在する場合を例にとりさらに詳細に説明する。
【００９８】
図８は、複数の送受信機Ａ，Ｂ，Ｃのデータの送受信を示す図、図９は、複数の送受信機Ａ，Ｂ，Ｃの伝送チャンネル使用例を説明する図である。
【００９９】
図８及び図９において、送信機Ａは、例えば上述した液晶ＴＶのワイヤレスセンタ２、受信機Ａは、ＴＶ本体３である。また、送信機Ｂ，Ｃは、ワイヤレスＡＶシステムの上述した液晶ＴＶ以外の機器のワイヤレスセンタ、受信機Ｂ，Ｃは、その携帯端末等である。
【０１００】
ワイヤレスＡＶシステムを実現するための技術として、例えば２０００年１月に標準化が完了したＨＡＶｉ（Home Audio/Video Interoperability）Architectureと呼ばれる標準仕様がある。この仕様は、HAVi V1.0 Specification版の概要部分（1 Generalの1.1 Scope）に記述されているように、家庭用電化製品やコンピュータを接続して、ユーザがある機器を使って別の機器を操作するためのインタフェースの提供を実現している。ＨＡＶｉ仕様書では、一例としてＩＥＥＥ１３９４とＩＥＣ（International Electrotechnical Commission）６１８８３準拠の家庭用電化製品によるネットワークの構築を想定している。また、同仕様書の同概要部分にあるように、ＨＡＶｉによって実現されたネットワークに接続されている機器をすべてのユーザが自由に使用できる。このように、家庭内にあるＡＶ機器を接続してＡＶネットワークを構築することにより、ユーザは離れた部屋にある機器であっても自由に組み合わせて使用できる。
【０１０１】
また、このような家庭内ＡＶネットワークのほかに、送受信機Ａ，Ｂ，Ｃは、例えば無線通信を行う携帯電話機／ＰＨＳ（Personal Handy-Phone System）（登録商標）や携帯情報端末（以下、ＰＤＡ（Personal Digital Assistants）という）などの無線通信端末であってもよい。
【０１０２】
一方、ワイヤレスＡＶシステムとして無線ＬＡＮやBluetooth、ＵＷＢ（Ultra Wide Band）が使用される。無線ＬＡＮは、無線ＬＡＮ機能を持つ携帯ノート型パソコン、ＰＤＡなどの携帯情報端末に幅広く用いられている。より低消費電力が要求される携帯電話機では、Bluetooth，ＵＷＢなどの小電力近距離双方向無線通信方式が注目されている。Bluetoothは、マスタ（サーバ）とスレーブ（クライアント）との間で近距離の双方向無線通信を行うシステムであり、地球上のどこでも機器間の通信を可能にするため、全世界で使える２．４ＧＨｚ周波数帯を使用する。現在の規格での通信速度は１Ｍｂｐｓであり、将来的には２Ｍｂｐｓへのバージョンアップを計画している。実質的な伝送チャンネルのレートは、３つの伝送チャンネルまでの同期音声通信、または１つの伝送チャンネルで音声とデータの同時通信が可能。非同期チャンネルでは、７２１Ｋｂｐｓの双方向接続と５７．６Ｋｂｐｓの戻り方向接続、または４３２．６Ｋｂｐｓでの対称リンクをサポートしている。
【０１０３】
図９は、本ワイヤレスＡＶシステムの伝送チャンネル変更方法を説明する図である。本ワイヤレスＡＶシステムが、ＩＥＥＥ８０２．１１規格に準拠する場合、２．４００〜２．４８３ＧＨｚの２．４ＧＨｚ帯内に、伝送チャンネルｃｈ１から伝送チャンネルｃｈ１４までの１４の伝送チャンネルの周波数が割り当てられているものの、同一エリア内で同時に複数の伝送チャンネルを設定する場合には、隣り合う伝送チャンネルの周波数間隔を２５ＭＨｚ以上とすることが定められている。これは、送受信される高周波信号が、変調された一定の帯域を有するものであるため、隣り合う伝送チャンネルの周波数が近接していると、それぞれの伝送チャンネルの信号が互いに相手方に対して妨害電波となるからである。そのため、同一エリア内で同時に設定可能な伝送チャンネル数は、図９に示すように伝送チャンネルＡ，Ｂ，Ｃ（伝送チャンネルＣは図示略）として示すように最大で３つの伝送チャンネルに限られ、上記のように住宅が密集する地域内や部屋が近接する建物内で、住宅や部屋ごとに無線ＬＡＮシステムを構築しようとすると、伝送チャンネル不足を生じてしまう。
【０１０４】
したがって、無線ネットワークにおいて、送信機、受信機がある特定の周波数（伝送チャンネル）通信している場合、同じ伝送チャンネルを別の送信機、受信機のペアが使用する場合、後から伝送チャンネルを使用する機器は、空いている伝送チャンネルに変更する必要がある。
【０１０５】
図９の例では、伝送チャンネルＡを使って送信機Ａが受信機Ａにパケット通信を行っている。このとき、送信機Ｂが通信を行おうとする場合、送信機Ａが伝送チャンネルＡを使っているので、送信機Ｂは伝送チャンネルＡ以外の伝送チャンネルである伝送チャンネルＢを使って受信機Ｂとパケット通信を行うことになる。ここで、さらに送信機Ｃが通信を行おうとする場合、送信機Ａが伝送チャンネルＡを、送信機Ｂが伝送チャンネルＢを使っているので伝送チャンネルＡ，Ｂ以外の伝送チャンネルＣを使って通信を行うことになる。
【０１０６】
ところが、送信機Ｃからみて他の送信機（例えば、送信機Ａ）がパケット通信を行っているか否かは容易に判定できない場合がある。すなわち、送信機Ａにおいて何らかの理由でストリームが伝送されていないとき（例えば、停止ボタンを押して映像停止中）、送信機Ｃがこれを伝送チャンネルＡの空きと判断して送信機Ｃが勝手に伝送チャンネルＡを使い始めると、送信機Ａが通信を再び行う場合、伝送チャンネルＡは送信機Ｃによって使用されてしまっているため、送信機Ａは新たな伝送チャンネルを探しに行かなければならない。伝送チャンネルの切り替えには初期化等の処理も入るため３秒程度要することがある。
【０１０７】
本来、伝送チャンネル変更中はストリームも途絶えている状態である。そこで、本実施の形態では、図４乃至図７で詳述したように、伝送チャンネルを切り替える際などで通信状態が途絶えたとき、映像が途絶えたのか、送受信機が伝送チャンネルを変更したのかを、“接続中”“伝送チャンネルを探しています”“電波が届きにくくなっています”“圏外”などのメッセージ（表示によるメッセージ、音声によるメッセージ、その組み合わせのいずれでもよい）でユーザに知らせることにより、ユーザに違和感を生じさせないようにすることができる。
【０１０８】
さらに、本実施の態様では、ある伝送チャンネルにおいて通信が途絶えた時間を計測し、通信が途絶えた時間が所定の設定タイムアウト時間内のときはその伝送チャンネルは使用中であると判断する制御を行う。この制御は、送受信機の制御部が行うもので、例えば、図１乃至図３に示すワイヤレスＡＶシステムの場合には、ワイヤレスセンタマイコン３７及び／又はＴＶマイコン６４が実行する。なお、通信が途絶えた時間を計測する処理、および、使用中であることを判断する処理は、伝送チャンネルに割り込もうとする機器の制御部が行う。
【０１０９】
図９の例では、伝送チャンネルＡを使って送信機Ａが受信機Ａにパケット通信を行っているとき、送信機Ｂが通信を行おうとする場合、送信機Ａが伝送チャンネルＡを使っているので、送信機Ｂは伝送チャンネルＡ以外の伝送チャンネルである伝送チャンネルＢを使って受信機Ｂとパケット通信を行うことになる。ここで、図９に示す時点で、さらに送信機Ｃが通信を行おうとする場合、送信機Ａのパケット通信及び送信機Ｂのパケット通信は途絶えているものの、いずれも設定タイムアウト時間内であるため伝送チャンネルＡ及び伝送チャンネルＢはいずれも使用中と判断され、伝送チャンネルＡ又は伝送チャンネルＢが送信機Ｃによって使用されることはない。これにより、伝送チャンネルが頻繁に切り替えられることが未然に防止でき、ネットワーク全体で最適な通信状態を維持することができる。
【０１１０】
次に、図１１から図１５を用いて、“圏外”であることの検出方法について説明する。なお、この検出処理は、ワイヤレスセンタ２においては第１のＳＳ−ＣＰＵが、ＴＶ本体３においては第２のＳＳ−ＣＰＵが実行するが、それぞれワイヤレスセンタマイコン３７及び／又はＴＶマイコン６４が実行してもよい。
【０１１１】
図１１は、ワイヤレスセンタ２に相当する送信機と、ＴＶ本体３に相当する受信機との間で送受信される信号を示している。ここで、確認信号は相手の存在を確認するために送信する信号である。ＡＣＫ信号は確認信号を受信した旨を示す信号であり、確認信号を受信した方が送信する信号である。また、確認信号はコマンド信号であってもよい。なお、このように双方向通信であるため、データの状態を見ることで、送信側でも受信状態を把握できる。
【０１１２】
なお、図１１の例では、ＡＣＫ信号が確認信号ごとに送信されているが、受信機が１回確認信号を受信した後、確認信号を受けなくても定期的にＡＣＫ信号を送信するようにしてもよいし、確認信号を完全に省略して、確認信号を受けなくても定期的にＡＣＫ信号を送信するようにしてもよい。
【０１１３】
図１２は、確認信号を受信する側（この場合受信機）での処理を示している。まず、カウントを０にセットし（Ｓ１２０１）、一定時間（Ｔ秒）待つ（Ｓ１２０２）。そして、一定時間待っている間に確認信号を受信したかどうかを判定する（Ｓ１２０３）。確認信号を受信した場合（Ｓ１２０３でＹＥＳ）、ＡＣＫ信号を送信する（Ｓ１２０４）。一方、確認信号を受信しなかった場合（Ｓ１２０３でＮＯ）、カウントを１増やす（Ｓ１２０５）。次に、カウントの値と予め決められた所定値と比較し（Ｓ１２０６）、カウント値が所定値より小さい場合（ＮＯ）、一定時間待つ処理（Ｓ１２０２）に戻る。一方、カウント値が所定値を超えた場合（Ｓ１２０６でＹＥＳ）、圏外と判断する（Ｓ１２０７）。
【０１１４】
ここで、所定値は一定時間待つ処理の時間Ｔに関連する値で、Ｔ秒×所定値が５秒程度になるようにする。なお、所定値の値は、これに限定されるものではなく、状況に応じて最適な値を選定することができる。
【０１１５】
図１３に、図１２と同等の処理を別の手段で実現した場合の例を示す。まず、現在時刻（Ｔ０）を記録し（Ｓ１３０１）、一定時間（Ｔ秒）待つ（Ｓ１３０２）。そして、一定時間待っている間に確認信号を受信したかどうか判定する（Ｓ１３０３）。確認信号を受信した場合（Ｓ１３０３でＹＥＳ）、ＡＣＫ信号を送信する（Ｓ１３０４）。一方、確認信号を受信しなかった場合（Ｓ１３０３でＮＯ）、現在時刻（Ｔ１）を記録する（Ｓ１３０５）。次に、Ｔ１とＴ０の差分値と予め決めた所定値とを比較し（Ｓ１３０６）、差分値が所定値より小さい場合（ＮＯ）、一定時間待つ処理（Ｓ１３０２）に戻る。一方、差分値が所定値を超えた場合（Ｓ１３０６でＹＥＳ）、圏外と判断する（Ｓ１３０７）。
【０１１６】
上記の処理手順は、確認信号を受信する側での処理であった。次に、ＡＣＫ信号を受信する側の処理について説明する。
【０１１７】
図１４に示すように、まず、カウントを０にセットし（Ｓ１４０１）、一定時間（Ｔ秒）待つ（Ｓ１４０２）。次に、確認信号を送信する（Ｓ１４０３）。次に、ＡＣＫ信号を受信したかどうか判定する（Ｓ１４０４）。ＡＣＫ信号を受信した場合（Ｓ１４０４でＹＥＳ）、ステップＳ１４０１の処理に戻る。一方、ＡＣＫ信号を受信しなかった場合（Ｓ１４０４でＮＯ）、カウントを１増やす（Ｓ１４０５）。次に、カウントの値と予め決めた所定値と比較し（Ｓ１４０６）、カウント値が所定値より小さい場合（ＮＯ）、一定時間待つ処理（Ｓ１４０２）に戻る。一方、カウント値が所定値を超えた場合（Ｓ１４０６でＹＥＳ）、圏外と判断する（Ｓ１４０７）。
【０１１８】
図１５に、図１４と同等の処理を別の手順で実現した場合の例を示す。まず、現在時刻（Ｔ０）を記録し（Ｓ１５０１）、一定時間（Ｔ秒）待つ（Ｓ１５０２）。次に、確認信号を送信する（Ｓ１５０３）。次に、ＡＣＫ信号を受信したかどうか判定する（Ｓ１５０４）。ＡＣＫ信号を受信した場合（Ｓ１５０４でＹＥＳ）、ステップＳ１５０１の処理に戻る。一方、ＡＣＫ信号を受信しなかった場合（Ｓ１５０４でＮＯ）、現在時刻（Ｔ１）を記録する（Ｓ１５０５）。次に、Ｔ１とＴ０の差分値と予め決めた所定値と比較し（Ｓ１５０６）、差分値が所定値より小さい場合（ＮＯ）、一定時間待つ処理（Ｓ１５０２）に戻る。一方、差分値が所定値を超えた場合（Ｓ１５０６でＹＥＳ）、圏外と判断する（Ｓ１５０７）。
【０１１９】
このように、ワイヤレスＡＶシステム１では、送信機および受信機は、それぞれ相手からのＡＣＫ信号／確認信号を検出しており、ＡＣＫ信号／確認信号が帰ってこないときに圏外と判断している。
【０１２０】
次に、図１６を用いて、エラー率等に基づいて通信状態を、“良好”、“劣化”、“悪化”、“圏外”に分類する手順の一例について説明する。なお、この検出処理は、ＴＶ本体３の第２のＳＳ−ＣＰＵ８４が実行するが、ＴＶマイコン６４が実行してもよい。
【０１２１】
まず、パケットエラー率と予め決めた閾値（第１の閾値）Ｔｈ１とを比較する（Ｓ１６０１）。パケットエラー率とは、受信したパケットに含まれるエラー率のことである。パケットエラー率が閾値Ｔｈ１より小さいとき（Ｓ１６０１でＹＥＳ）、通信状態を“良好”と判定する（Ｓ１６０２）。なお、閾値Ｔｈ１は、例えば０．００１程度に設定できる。ただし、これに限定されるものではなく、状況に応じて最適な値を選定することができる。
【０１２２】
次に、パケットエラー率が閾値Ｔｈ１より大きい場合（Ｓ１６０１でＮＯ）、再送回数と予め決めた閾値（第２の閾値）Ｔｈ２とを比較する（Ｓ１６０３）。再送回数とは、パケットエラー率が高く、パケットの修復が不可能になったときに、パケットの再送信を行う回数である。再送回数が閾値Ｔｈ２より小さい場合（Ｓ１６０３でＹＥＳ）、通信状態を“劣化”と判定する（Ｓ１６０４）。ここで、閾値Ｔｈ２は、映像が乱れない上限値にされることが好ましい。この場合、通信状態の“劣化”とは、映像が乱れている状態を示す。なお、閾値Ｔｈ２は、例えば３程度に設定できる。ただし、これに限定されるものではなく、状況に応じて最適な値を選定することができる。
【０１２３】
次に、送信回数が閾値Ｔｈ２より大きい場合（Ｓ１６０３でＮＯ）、圏外かどうかの判定を行う（Ｓ１６０５）。圏外の判定は、上述したように図１２、図１３で示した手順で行うことができる。すなわち、ワイヤレスセンタ２が通信相手であるＴＶ本体３の存在を確認するために送信する「確認信号」や、確認信号を受信したＴＶ本体３が送信する「ＡＣＫ信号」を、受信側で所定時間内に受信できるか否かを監視することで行うことができる。そして、判定の結果、圏外でなければ（Ｓ１６０５でＮＯ）、通信状態を“悪化”と判定する（Ｓ１６０６）となる。一方、圏外であれば、通信状態を“圏外”と最終的に判定する（Ｓ１６０７）。
【０１２４】
なお、図１６では、パケットエラー率と再送回数とを用いて判定したが（Ｓ１６０１、Ｓ１６０３）、パケットエラー率のみを用いて、それと２段階の閾値と比較することによって通信状態を判定してもよい。同様に、再送回数のみを用いて、それと２段階の閾値と比較することによって通信状態を判定してもよい。なお、２段階に限らず、さらに多くの閾値と比較すれば、より詳細な判定が可能となることはいうまでもない。よって、例えば、パケットエラー率を用いた２段階の判定と、再送回数を用いた２段階の判定とを組み合わせることも可能である。
【０１２５】
また、電波の受信状態を“エラー率”、“エラー率に基づく再送要求回数”により検出する場合について説明したが、その他、“電界強度”、“エラー率の時間的変化”、“電界強度の時間的変化”、“再送要求回数の時間的変化”などがパラメータとして利用できる。特に、消費電力を抑えるための省電力モードでは、映像及び／又は音声データの送受信のない状態で、電界強度によって電波状態を判定することが好ましい。
【０１２６】
次に、図１７、図１８を用いて、伝送チャンネル変更処理および伝送チャンネル変更判定について説明する。なお、これらの処理は、ワイヤレスセンタ２においては第１のＳＳ−ＣＰＵが、ＴＶ本体３においては第２のＳＳ−ＣＰＵが実行するが、それぞれワイヤレスセンタマイコン３７及び／又はＴＶマイコン６４が実行してもよい。
【０１２７】
図１７に示すように、送信機（ワイヤレスセンタ２）において、まず、伝送チャンネル変更判定を行う（Ｓ１７０１）。伝送チャンネル変更判定は、圏外の状態が一定時間以上続くなどの条件で判定される。伝送チャンネル変更判定の結果がＹＥＳの場合（Ｓ１７０１でＹＥＳ）、通信状態は「チャンネルを探しています」になり、伝送チャンネル変更がされる（Ｓ１７０２）。
【０１２８】
ここでは、無線伝送で用いるチャンネルとして、「伝送チャンネルＡ」、「伝送チャンネルＢ」、「伝送チャンネルＣ」の３つの伝送チャンネルがあるとする。伝送チャンネルの変更の順番は、伝送チャンネルＡ→伝送チャンネルＢ→伝送チャンネルＣ→伝送チャンネルＡ→  …  という具合に順番に変更していくものとする。例えば、現在の伝送チャンネルが伝送チャンネルＢの場合、ステップＳ１７０２の処理により伝送チャンネルＣに変更することを意味する。
【０１２９】
次に、確認信号を送信する（Ｓ１７０３）。次に、ＡＣＫ信号を受信したかどうか判断する（Ｓ１７０４）。受信機からＡＣＫ信号を受信した場合（Ｓ１７０４でＹＥＳ）、その伝送チャンネルに固定され、以降の通信が行われる。このとき、通信状態は、「伝送チャンネルを探しています」から「良好」になる。
【０１３０】
一方、受信機からＡＣＫ信号が受信できなければ（Ｓ１７０４でＮＯ）、伝送チャンネル変更後の経過時間と所定時間ＴＳとが比較される（Ｓ１７０５）。そして、経過時間が所定時間ＴＳより小さいとき（Ｓ１７０５でＮＯ）、確認信号を送信する処理（Ｓ１７０３）に戻る。一方、経過時間が所定時間ＴＳより大きい場合（Ｓ１７０５でＹＥＳ）、伝送チャンネルを変更する処理（Ｓ１７０２）へ戻る。
【０１３１】
つづいて、受信機（ＴＶ本体３）での処理について同様に説明する。
【０１３２】
まず、伝送チャンネル変更判定が行われる（Ｓ１７１１）。チャンネル変更判定の結果がＹＥＳの場合（Ｓ１７１１でＹＥＳ）、通信状態は「伝送チャンネルを探しています」になり、伝送チャンネルが変更される（Ｓ１７１２）。
【０１３３】
次に、送信機から確認信号を受信したかどうかを判定する（Ｓ１７１３）。送信機から確認信号を受信した場合（Ｓ１７１３でＹＥＳ）、そのチャンネルに固定され、送信機へＡＣＫ信号を送信し（Ｓ１７１４）、以降の通信が行われる。このとき、通信状態は、「伝送チャンネルを探しています」から「良好」になる。
【０１３４】
一方、送信機から確認信号が受信できなければ（Ｓ１７１３でＮＯ）、チャンネル変更後の経過時間と所定時間ＴＪとが比較される（Ｓ１７１５）。そして、経過時間が所定時間ＴＪより小さいとき（Ｓ１７１５でＮＯ）、確認信号の受信を判定する処理（Ｓ１７１３）に戻る。一方、経過時間が所定時間ＴＪより大きい場合（Ｓ１７１５でＹＥＳ）、伝送チャンネルを変更する処理（Ｓ１７１２）へ戻る。
【０１３５】
ここで、受信機の所定時間ＴＪを送信機の所定時間ＴＳより大きくすることにより、送信機と受信機が同時に伝送チャンネルを変更する処理を行っても、同じチャンネルで通信する機会が得られる。例えば、３つの伝送チャンネルＡ，Ｂ，Ｃを順に変更する場合、所定時間ＴＪ＞所定時間ＴＳ×３とするのが望ましい。
【０１３６】
図１８は、３つの伝送チャンネルＡ，Ｂ，Ｃがある場合に、送信機と受信機とが同時に伝送チャンネルを変更するときタイミングの一例を示す説明図である。同図に示すように、送信機が所定時間ＴＳごとに、伝送チャンネルＡ→伝送チャンネルＢ→伝送チャンネルＣと伝送チャンネルを変更し、受信機が所定時間ＴＳごとに、伝送チャンネルＣ→伝送チャンネルＡ→伝送チャンネルＢとチャンネルを変更している。ここで、所定時間ＴＪ＞所定時間ＴＳ×３である。
【０１３７】
送信機が伝送チャンネルＡ，Ｂで確認信号を送信したとき、受信機が伝送チャンネルＣを選択している。よって、伝送チャンネルが異なるために、受信機には確認信号が届かない。その後、送信機が伝送チャンネルＣで確認信号を送信したとき、依然、受信機は伝送チャンネルＣを選択している。よって、伝送チャンネルが一致するために、受信機が確認信号を受信し、ＡＣＫ信号を送信機へ送信する。これにより、送信機と受信機は、伝送チャンネルＣで通信が確立する。
【０１３８】
なお、ワイヤレスＡＶシステム１のワイヤレスセンタ２およびＴＶ本体３は、通信状態の検出および報知を、映像及び／又は音声データに基づいて行ってもよいし、伝送チャンネル変更情報を含む制御コマンドに基づいて行ってもよい。映像及び／又は音声データであっても、制御コマンド（すなわち、図１１の「確認信号」「ＡＣＫ信号」等)であっても、伝送状態を報知するにあたっては、同一のメッセージを用いる。そして、映像データ、音声データ、制御コマンドのいずれか一つの伝送状態が悪くなると、報知メッセージを表示する。報知メッセージ例としては、電波が届かなくなったときには「圏外」、電波状態が悪いときには「電波が届きにくくなっています」、伝送チャンネルを変更して通信する送信機を探しているときには「送信機を探しています」、通信する送信機を見つけて、接続の設定をしているときには「接続中」等と表示する。
【０１３９】
ここで、伝送チャンネルを変更するには、「伝送チャンネル変更情報」を含む制御コマンドによる場合と、上述のように確認信号およびＡＣＫ信号の通信状態（通信が途絶えた）による場合とがある。
【０１４０】
前者は、ユーザの操作により、ある特定の伝送チャンネルに設定する場合に相当する。この伝送チャンネル変更情報には、どの伝送チャンネルに変更するかの情報が含まれる。一方、後者は、ユーザの設定が例えば“ＡＵＴＯ（自動）”になっており、空いている伝送チャネルを探す場合に相当する。
【０１４１】
以上説明したように、本実施の形態に係るワイヤレスＡＶシステム１は、ベース機器としてのワイヤレスセンタ２と、無線端末としてのＴＶ本体３とから構成され、ＴＶ本体３は、ワイヤレスセンタ２のＳＳ送受信ユニット３６から送信されたＭＰＥＧ２ストリームやコマンド伝送データを受信するとともに、受信したＭＰＥＧ２ストリームなどをデコードするＳＳ送受信ユニット６１と、映像信号を表示し音声信号を出力するＴＶ部６３と、装置全体の制御を行うＴＶマイコン６４と、受信電波の電界強度、エラー率に基づく再送要求によりワイヤレスセンタ２とＴＶ本体３間の通信状態を検出する第２のＳＳ−ＣＰＵ８４とを備え、ＴＶマイコン６４は、検出された通信状態に基づいて、映像及び音声データが途絶えていること、伝送チャンネル変更中であること、接続中であること、通信圏外を含む受信感度情報の各メッセージをＴＶ部６３にＯＳＤ表示するので、伝送チャンネルを切り替える際や電波状態が不良で通信状態が途絶えた場合であっても、伝送状況を知らせる適切なメッセージが表示されることになり、ユーザは映像が途絶えたのか通信端末が伝送チャンネルを変更したのか、あるいは電子レンジ使用などの妨害電波により通信状態が悪くなったのかを容易に知ることができ、ユーザの違和感を解消することができる。例えば、映像が表示されなくてもＯＳＤ表示により「接続中」等のメッセージが表示されるため、ユーザは映像が表示されない理由を直感的に理解して映像が表示されるまで待つことができ、映像が表示されない状態を回避するための無駄な伝送チャンネル操作を未然に防止することができる。ユーザの無駄な伝送チャンネル操作等を回避することでより一層、映像表示までの時間を短縮することができる。
【０１４２】
本実施の形態では、図７の（４）圏外からの遷移で述べたように、通信状態に応じてメッセージの内容を変えているのでユーザは通信状態の推移を身近に知ることができる。これらのメッセージは一例であり、どのような内容のものをどのようなステップで知らせてもよい。例えば、通信状態の悪化又は回復が見込める場合には、映像表示がなされるまでの概略の時間やその時間を示すイメージキャラクタで知らせるようにすればより分りやすい。
【０１４３】
また、受信状態が悪化しつつあるときに、ユーザにその次の行動指針（例えば、「受信状態が悪くなりつつあります。電波の届き易い場所に移動してください。」や「急に受信状態が悪くなりました。電子レンジ等の障害物から離れてください。」など）を表示／音声によりアナウンスするようにすればより親切なシステムとなる。
【０１４４】
本実施の形態では、映像及び音声データ等の伝送状況を知らせるメッセージをＴＶ部６３にＯＳＤ表示することにより、映像及び音声データ等の伝送状況のメッセージを知らせるようにしているが、音声合成ＬＳＩを用いて音声により報知してもよく、あるいは組み合わせて報知してもよい。また、ＯＳＤ表示に限らずどのような表示方法でもよい。
【０１４５】
さらに、本実施の形態では、通信が途絶えた時間を計測し、該通信が途絶えてから所定の設定時間が経過するまでは伝送チャンネルを保持するので、伝送チャンネルが頻繁に切り替えられてしまうことを防止することができ、ネットワーク全体で最適な通信状態を維持することができる。
【０１４６】
なお、本発明のワイヤレスＡＶシステムは、上述の実施の形態に限定されるものではなく、本発明の要旨を逸脱しない範囲内において種々変更を加え得ることは勿論である。例えば、ワイヤレスＡＶ機器として携帯ＴＶとしているが、ＴＶ受信機に限らず無線通信機能を持った又はその融合された装置に適用可能である。例えば、ＡＶ機器として、ＶＴＲ（Video Tape Recorder）のほか、ＨＤＤやＤＶＤに記録する記録再生装置でもよい。また、データ送受信のできる装置として、パソコンに代表される情報機器機能に融合された装置であってもよく、全てのシステムに適用可能である。また、送受信データの内容はどのようなものであってもよい。
【０１４７】
また、本実施の形態では、ＴＶ受信機で説明したが、これに限定されるものではなく、前述のように、チューナとパソコンや、チューナを使用する他のＡＶ機器にも応用できる。
【０１４８】
また、上記ワイヤレスＡＶシステムを構成する各処理部等の種類、設定情報の種類・形式などは前述した実施形態に限られない。
【０１４９】
また、チューナとして、ＢＳチューナとＵ／Ｖチューナの２つの放送を例に挙げているが、ＣＳチューナなど放送の種類や数はこれに限定されるものではない。
【０１５０】
また、本実施の形態では無線通信装置及びワイヤレスＡＶシステムという名称を用いたが、これは説明の便宜上であり、無線通信機器、ＡＶ機器、放送局選局装置等であってもよい。
【０１５１】
また、本実施の形態では、受信側（ＴＶ本体３）に「報知手段」を設ける構成について説明したが、送信側（ワイヤレスセンタ２）に表示パネルやＬＥＤ等によって設けてもよい。すなわち、本発明のワイヤレスＡＶシステムは、受信側における受信状況を報知する報知手段が、送信側または受信側のいずれかに備えられている構成であればよい。ただし、通信状態の検出は、受信側（ＴＶ本体３）で行うことが望ましい。
【０１５２】
以上説明したワイヤレスＡＶシステムは、このワイヤレスＡＶシステムを構成する各装置を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【０１５３】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０１５４】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【０１５５】
なお、本実施の形態は本発明の範囲を限定するものではなく、本発明の範囲内で種々の変更が可能であり、例えば、以下のように構成することができる。
【０１５６】
本発明の無線通信装置は、映像及び音声データ、又は伝送チャンネル変更情報を含む制御コマンドを送受信する通信手段と、通信状態を検出する通信状態検出手段と、前記通信状態検出手段により検出された通信状態に基づいて、少なくとも前記映像及び音声データの伝送状況を報知する報知手段とを備えていてもよい。
【０１５７】
さらに、通信が途絶えた時間を計測し、該通信が途絶えてから所定の設定時間が経過するまでは伝送チャンネルを保持するものであってもよい。
【０１５８】
前記通信手段は、ＳＳ（Spread Spectrum）無線方式により前記映像及び音声データ、又は前記制御コマンドを伝送するものであってもよい。
【０１５９】
前記通信手段は、ＭＰＥＧ２符号化方式に準拠したＭＰＥＧストリームにより前記映像及び音声データを伝送するものであってもよい。
【０１６０】
前記通信手段は、小電力近距離双方向無線通信であってもよい。
【０１６１】
また、より好ましい具体的な態様として、前記通信手段は、Bluetooth、ＵＷＢ、又は無線ＬＡＮである。
【０１６２】
前記通信状態検出手段は、受信電波の電界強度、又はエラー率、又はエラー率に基づく再送要求回数により通信状態を検出することがより好ましい。
【０１６３】
前記通信状態検出手段は、通信リンクが確立された無線通信装置間の通信状態を検出することがより好ましい。
【０１６４】
また、前記報知手段は、前記映像及び音声データが途絶えていること、伝送チャンネル変更中であること、接続中であること、通信圏外を含む受信感度情報のうち、少なくともいずれか１つ以上を報知するものであってもよい。
【０１６５】
前記報知手段は、表示手段によるメッセージ表示、又は、音声出力手段によるメッセージ発音であってもよい。
【０１６６】
本発明のワイヤレスＡＶシステムは、複数の無線通信装置を無線ネットワークを通じて接続するワイヤレスＡＶシステムであって、前記無線通信装置は、前述の無線通信装置であってもよい。
【０１６７】
また、より好ましい具体的な態様として、前記無線通信装置は、表示装置と、放送受信用チューナを有し、前記表示装置に映像及び音声データを伝送するセンタ装置とからなるテレビジョン受信機である。
【０１６８】
また、本発明の動作制御プログラムは、無線ネットワークを構成する複数の無線通信装置において、映像及び音声データ、又は伝送チャンネル変更情報を含む制御コマンドを送受信し、通信状態を検出し、前記検出された通信状態に基づいて、少なくとも前記映像及び音声データの伝送状況を報知する制御処理をコンピュータに実行させるためのプログラムであってもよい。
【０１６９】
さらに、本発明の動作制御プログラムを記録した記録媒体は、無線ネットワークを構成する複数の無線通信装置において、映像及び音声データ、又は伝送チャンネル変更情報を含む制御コマンドを送受信し、通信状態を検出し、前記検出された通信状態に基づいて、少なくとも前記映像及び音声データの伝送状況を報知する制御処理をコンピュータに実行させるためのプログラムを記録したものであってもよい。
【０１７０】
また、本発明の無線端末は、映像及び／又は音声データ、又は伝送チャンネル変更情報を含む制御コマンドをベース機器と送受信する通信手段と、通信状態を検出する通信状態検出手段と、前記通信状態検出手段により検出された通信状態に基づいて、受信感度情報を報知する報知手段と、を備えて構成されていてもよい。
【０１７１】
また、本発明の無線端末は、映像及び／又は音声データ、又は伝送チャンネル変更情報を含む制御コマンドをベース機器と送受信する通信手段と、通信状態を検出する通信状態検出手段と、前記通信状態検出手段により検出された通信状態に基づいて、少なくとも前記映像及び／又は音声データの伝送状況を報知する報知手段と、を備えて構成されていてもよい。
【０１７２】
さらに、本発明の無線端末は、通信が途絶えた時間を計測し、該通信が途絶えてから所定の時間が経過するまでは伝送チャンネルを保持する伝送チャンネル保持手段を備えていてもよい。
【０１７３】
さらに、本発明の無線端末は、前記通信状態検出手段が、受信電波の電界強度、エラー率、エラー率に基づく再送要求回数のいずれか一つ以上に基づいて、通信状態を検出するものであってもよい。
【０１７４】
さらに、本発明の無線端末は、前記通信状態検出手段が、通信リンクが確立されたベース機器との通信状態を検出するものであってもよい。
【０１７５】
さらに、本発明の無線端末は、前記報知手段が、前記映像及び／又は音声データが途絶えていること、伝送チャンネル変更中であること、接続中であること、通信圏外であることを含む受信感度情報のうち、いずれか一つ以上を報知するものであってもよい。
【０１７６】
また、本発明の無線端末は、映像及び／又は音声データ、又は伝送チャンネル変更情報を含む制御コマンドをベース機器と送受信する通信手段を備えるとともに、前記通信手段が、前記ベース機器にて検出された通信状態を示す情報を、ベース機器から受信するものであり、前記通信手段が受信した前記通信状態を示す情報に基づいて、受信感度情報を報知する報知手段を備えていてもよい。
【０１７７】
さらに、本発明の無線端末は、前記報知手段が、表示手段によるメッセージ表示、又は、音声出力手段によるメッセージ発音であってもよい。
【０１７８】
また、本発明の無線端末は、映像及び／又は音声データ、又は伝送チャンネル変更情報を含む制御コマンドをベース機器と送受信する通信手段を備えるとともに、通信が途絶えた時間を計測し、該通信が途絶えてから所定の時間が経過するまでは伝送チャンネルを保持する伝送チャンネル保持手段を備えていてもよい。
【０１７９】
さらに、本発明の無線端末は、前記通信手段が、スペクトラム拡散無線方式により、前記映像及び／又は音声データ、又は前記制御コマンドを伝送するものであってもよい。
【０１８０】
さらに、本発明の無線端末は、前記通信手段が、無線ＬＡＮ、又はBluetooth及びＵＷＢ（Ultra Wide Band）などの小電力近距離双方向無線通信を行うものであってもよい。
【０１８１】
さらに、本発明の無線端末は、前記通信手段が、ＭＰＥＧ２符号化方式に準拠したＭＰＥＧストリームにより、前記映像及び／又は音声データを伝送するものであってもよい。
【０１８２】
さらに、本発明の無線端末は、少なくとも、受信した映像データに基づいて映像信号を表示する、及び/又は、受信した制御コマンドに基づいて通信リンクが確立されたベース機器の情報を表示する、表示装置を備えていてもよい。
【０１８３】
さらに、本発明のベース機器は、前述の無線端末と、映像及び／又は音声データ、又は伝送チャンネル変更情報を含む制御コマンドを送受信するものであってもよい。
【０１８４】
さらに、本発明のベース機器は、通信状態を検出する通信状態検出手段を備え、前記通信状態検出手段により検出された通信状態を示す情報を、上記無線端末へ送信するものであってもよい。
【０１８５】
さらに、本発明のベース機器は、入力される映像及び／又は音声データが、外部からのデータであってもよい。
【０１８６】
さらに、本発明のベース機器は、入力される映像及び／又は音声データが、放送受信用チューナからのデータであってもよい。
【０１８７】
また、本発明のワイヤレスシステムは、前述の無線端末と、映像及び／又は音声データ、又は伝送チャンネル変更情報を含む制御コマンドを前記無線端末と送受信するベース機器とを含む構成であってもよい。
【０１８８】
また、本発明の無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、通信状態を検出し、前記検出された通信状態に基づいて、受信感度情報を報知する方法であってもよい。
【０１８９】
また、本発明の無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、通信状態を検出し、前記検出された通信状態に基づいて、少なくとも前記映像及び／又は音声データの伝送状況を報知する方法であってもよい。
【０１９０】
また、本発明の無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、前記ベース機器にて検出された通信状態を示す情報を、ベース機器から受信して、当該通信状態を示す情報に基づいて、受信感度情報を報知する方法であってもよい。
【０１９１】
また、本発明の無線端末の制御方法は、無線端末とベース機器とが無線ネットワークを通じて接続されたワイヤレスシステムを構成する無線端末の制御方法であって、映像及び／又は音声データ、又は伝送チャンネル変更情報を含む制御コマンドをベース機器と送受信し、通信が途絶えた時間を計測し、該通信が途絶えてから所定の時間が経過するまでは伝送チャンネルを保持する方法であってもよい。
【０１９２】
また、本発明の無線端末の制御プログラムは、前述の無線端末を動作させる制御プログラムであって、コンピュータを上記の各手段として機能させるためのものであってもよい。
【０１９３】
また、本発明のコンピュータ読み取り可能な記録媒体は、前述の無線端末の制御プログラムを記録したものである。
【産業上の利用可能性】
【０１９４】
本発明のワイヤレスシステムは、映像及び／又は音声データを無線伝送する、例えばディスプレイ分離型のワイヤレスＴＶ受信機のような家庭内ＡＶネットワークシステムに好適であるが、これに限定されず、携帯電話機／ＰＨＳ（Personal Handy-Phone System）（登録商標）や携帯情報端末（ＰＤＡ（Personal Digital Assistants））などの無線通信機器に広く適用可能である。
【図面の簡単な説明】
【０１９５】
【図１】本発明の実施の形態のワイヤレスＡＶシステムの構成を示すブロック図である。
【図２】図１に示したワイヤレスＡＶシステムのワイヤレスセンタの構成を示すブロック図である。
【図３】図１に示したワイヤレスＡＶシステムのＴＶ本体の構成を示すブロック図である。
【図４】図１に示したワイヤレスＡＶシステムにおける伝送チャンネル変更方法を説明するための状態遷移図である。
【図５】図１に示したワイヤレスＡＶシステムにおける伝送チャンネル変更方法を説明するための状態遷移図である。
【図６】図１に示したワイヤレスＡＶシステムにおける伝送チャンネル変更方法を説明するための状態遷移図である。
【図７】図１に示したワイヤレスＡＶシステムにおける伝送チャンネル変更方法を説明するための状態遷移図である。
【図８】図１に示したワイヤレスＡＶシステムの複数の送受信機Ａ，Ｂ，Ｃのデータの送受信を示す図である。
【図９】図１に示したワイヤレスＡＶシステムの複数の送受信機Ａ，Ｂ，Ｃの伝送チャンネル使用例を説明する図である。
【図１０】図１に示したワイヤレスＡＶシステムの概略を示した説明図である。
【図１１】図１に示したワイヤレスＡＶシステムのワイヤレスセンタとＴＶ本体との間で送受信される制御コマンドを示す説明図である。
【図１２】図１に示したワイヤレスＡＶシステムのＴＶ本体において“圏外”を判定する処理を示すフローチャートである。
【図１３】図１に示したワイヤレスＡＶシステムのＴＶ本体において“圏外”を判定する処理を示すフローチャートである。
【図１４】図１に示したワイヤレスＡＶシステムのワイヤレスセンタにおいて“圏外”を判定する処理を示すフローチャートである。
【図１５】図１に示したワイヤレスＡＶシステムのワイヤレスセンタにおいて“圏外”を判定する処理を示すフローチャートである。
【図１６】図１に示したワイヤレスＡＶシステムのＴＶ本体における通信状態の判定処理を示すフローチャートである。
【図１７】図１に示したワイヤレスＡＶシステムのワイヤレスセンタおよびＴＶ本体における伝送チャンネル変更処理を示すフローチャートである。
【図１８】図１に示したワイヤレスＡＶシステムのワイヤレスセンタおよびＴＶ本体による伝送チャンネル変更の一例を示す説明図である。
【符号の説明】
【０１９６】
１  ワイヤレスＡＶシステム
２  ワイヤレスセンタユニット（ワイヤレスセンタ）（ベース機器、無線通信装置，センタ装置）
３  テレビジョン本体ユニット（ＴＶ本体）（無線端末、無線通信装置，表示装置）
１１  ＢＳ端子
１２  Ｕ／ＶＨＦアンテナ端子
１３  ダイバーシティ端子
１４  ビデオ１入力端子（Ｓ端子付き）
１５  ビデオ２入力端子（デコーダ入力）
１６  ビデオ３入力端子（モニタ／ＢＳ出力兼用）
１７  ＡＣ電源部
１８  Ｃａｒ−ＤＣ電源部
２１  ビデオ４入力端子（ＴＶ出力兼用）
２２  ＡＣ電源部
２３  Ｃａｒ−ＤＣ電源部
３１  ＢＳチューナ
３２  Ｕ／ＶＨＦチューナ
３３  映像・音声復調部
３４  音声切換部
３５  第１のセレクタ
３６  ＳＳ送受信ユニット（通信手段）
３７  ワイヤレスセンタマイクロコンピュータ（ワイヤレスセンタマイコン）
（伝送チャンネル保持手段）
３８，６５  ＥＥＰＲＯＭ
５１  Ａ／Ｄ変換部
５２  ＭＰＥＧ２エンコーダ
５３  ＳＳ無線送受信エンジン
５４  ＳＳ−ＣＰＵ（通信状態検出手段）
６１  ＳＳ送受信ユニット（通信手段）
６２  第２のセレクタ
６３  ＴＶ部（報知手段の一部）
６４  ＴＶマイコン（報知手段の一部、伝送チャンネル保持手段）
６６  リモコン受光部
６７  バッテリ
６８  バッテリチャージャマイコン
８１  ＳＳ無線送受信エンジン
８２  ＭＰＥＧ２デコーダ
８３  Ｄ／Ａ変換部
８４  第２のＳＳ−ＣＰＵ（通信状態検出手段）